(57)【要約】【課題】  単に商品を包装するに留まらず、消費者等の購買者に有意義な情報を表示する情報表示面の面積を拡張することができ、しかもその情報表示面が出荷時には隠蔽されおり、販売時又は購入時にその情報表示面を露出させることができ、また、包装していた商品を取り出した後にその商品又はその使用済みとなって廃棄予定の廃棄商品を返送することができ、又は、発送元から送付例えば郵送されてきた物品例えば各種商品を包装することができ、その物品を取り出した後に使用済みのその物品又は他の物品を収容して発送元又は他の発送先に送付例えば郵送することのできる包装容器を提供すること。【解決手段】  重ね合わせられた下側重合部と上側重合部とを備え、上側重合部はその一部又は全部を下側重合部から完全分離不能に剥離可能に形成され、剥離された上側重合部の重合面及び／又は下側重合部の露出可能な露出面に情報が記載又は記載可能にされてなることを特徴とする包装容器。【選択図】          図７
2006062748.tif 000002
【特許請求の範囲】
【請求項１】
重ね合わせられた下側重合部と上側重合部とを備え、上側重合部はその一部又は全部を下側重合部から完全分離不能に剥離可能に形成され、剥離された上側重合部の重合面及び／又は下側重合部の露出可能な露出面に情報が記載又は記載可能にされてなることを特徴とする包装容器。
【請求項２】
前記上側重合部は、係留開口部を備えることにより、下側重合面から剥離されるとハンガーを形成可能とする前記請求項１に記載の包装容器。
【請求項３】
内容物を取り出し可能に形成された取出し部と、前記取出し部に隣接する下側重合部とこの下側重合部に重ね合わされた上側重合部とを備え、前記上側重合部は、その一部又は全部を下側重合部から完全分離不能に剥離可能に形成され、剥離されたその一部又は全部が前記取出し部を封緘可能に形成され、前記下側重合部は、上側重合部の剥離により露出する露出面に情報が記載又は記載可能にされた情報開示面を有してなることを特徴とする包装容器。
【請求項４】
前記上側重合部は、取出し部を封鎖する封鎖部と包装容器に設けられた差込み片用切り目に挿入可能な差込み片を形成可能な差込み片形成部とを有してなる前記請求項３に記載の包装容器。
【請求項５】
前記上側重合部は、取出し部を封鎖する封鎖部を備えず、包装容器に設けられた差込み片用切り目に挿入可能な差込み片を形成可能な差込み片形成部を有してなる前記請求項３に記載の包装容器。
【請求項６】
前記上側重合部を下側重合部から完全分離不能に剥離した後に形成される下側重合部の露出面は、運送により届ける先の住所又は居所が記載され、又は前記住所又は居所が記載可能に形成され、ジッパ付きの袋に収容された内容物を収容して運送可能とすることを特徴とする請求項４に記載の包装容器。
【発明の詳細な説明】
【技術分野】
【０００１】
この発明は包装容器に関し、更に詳しくは、単に商品を包装するに留まらず、消費者等の購買者に有意義な情報を表示する情報表示面の面積を拡張することができ、しかもその情報表示面が出荷時には隠蔽されおり、販売時又は購入時にその情報表示面を露出させることができ、また、包装していた商品を取り出した後にその商品又はその使用済みとなって廃棄予定の廃棄商品を返送することができ、又は、発送元から送付例えば郵送されてきた物品例えば各種商品を包装することができ、その物品を取り出した後に使用済みのその物品又は他の物品を収容して発送元又は他の発送先に送付例えば郵送することのできる包装容器に関する。
【背景技術】
【０００２】
従来から商品はたとえば紙製の包装容器に包装されて流通市場を流通していた。流通市場における消費者等の購入者は、包装容器ごとその商品を購入しているのが常だった。
【０００３】
その包装容器は、出荷時、販売時及び購入時のいずれにおいても、その表面積に変化がない。たとえばその包装容器が長方形の箱体である場合、その箱体内に商品を収容した状態で商品が出荷され、販売時においてもその包装容器は出荷時と同じ状態である。したがって、出荷時と販売時とでは、その包装容器は同じ表面積を有するといえる。また、商品を購入する場合、その包装容器ごとその商品を購入することになる。そしてその商品を使用するときには、その包装容器における封緘部分を開封して中味の商品を取り出す。封緘部分を開封した後のその包装容器は開封部分だけ包装容器の表面積が増加しているが、包装容器における少なくともパネル部の表面積は増加していない。
【０００４】
ところで、商品を収容した包装容器を店頭に陳列する場合、その包装容器にはハンガーと称する部分（以下において、「ハンガー部」と称することがある。）を必要とする包装容器がある。この包装容器はたとえば直方体である場合、前記パネル部はその直方体から突き出た状態となっている。商品を収容した包装容器を大量輸送する場合、直方体である包装容器をできるだけコンパクトに搬送容器たとえば段ボール箱に詰め込む必要があるが、前記パネル部といった出っ張り部分が包装容器にあると、搬送容器にできるだけ効率的に、且つ大量に前記包装容器を詰め込もうとすると、その詰め込み作業が煩雑で時間のかかるものになるといった問題がある。ここにおいて、出荷時及び搬送時においては出っ張り部分がなく、店頭陳列時等においては店頭陳列に便利なようにハンガー部等の出っ張り部分を容易に形成することのできるような包装容器が要望される。しかしながら、現状においてはそのように便利な包装容器は市場において見かけない。
【０００５】
また、商品を収容した包装容器の表面には、その商品に関する各種の情報が印刷されている。その包装容器の表面に印刷される各種の情報の量は、その包装容器の表面積に依存する。その包装容器の表面に記載される情報量よりももっと大量の情報を店頭陳列時にその包装容器に関連して開示する必要が多々ある。その場合には、商品を収容した包装容器に、別に作成した情報提供手段たとえば張り紙、立看板、カード等を、付随させるということが考えられ、また実際の店頭においても実行されている。しかしながら、包装容器に付随させる情報提供手段をその都度作成してその包装容器のそばに配置し、その包装容器に結合し、等の作業をおこなうことはきわめて煩雑である。といってその包装容器にあらかじめシート乃至プレートのような出っ張り部分を形成しておいてその出っ張り部分の表面に、各種の情報を印刷しておけばよいという考えを採用することは、難しい。なぜならば、前述したように、包装容器はできるだけ単純な形状、たとえば直方体、立方体、円筒形等であることが輸送及び在庫保存等に便利であるが、前記単純な形状に加えて出っ張り部分のある包装容器は輸送及び在庫保存等に不便になるからである。ここにおいて、出荷時及び搬送時においては出っ張り部分がなく、店頭陳列時等においてはその包装容器とは別の情報提供手段を設けなくても済むような包装容器が要望される。しかしながら、現状においてはそのように便利な包装容器は市場において見かけない。
【０００６】
包装容器内の商品の売上を向上させるためには、販売促進活動が必須である。販売促進活動の一つとして、景品供与が挙げられる。景品目当てにその商品を購入する購入者の数を増加させることが景品供与の目的である。しかし、商品販売量の増加が実現されるように商品購入の動機付けとしては、景品供与には限界がある。購入する商品よりも価値の大きな景品を無償で提供するならば商品販売量は飛躍的に増大するが、経済的理由からそのような景品は提供されるはずがない。となると、販売促進に直接的に寄与するのは射幸の動機付けである。たとえば、その商品の包装容器に富くじが付加されていると、富くじ目当てにその商品を購入する購入者の数は飛躍的に増大することが見込まれる。しかしながら、現状の包装容器では富くじを付帯させることができない。なぜならば、富くじはその商品包装時においてあたりくじが秘密状態にされねばならないからである。包装容器の中に商品と共にあたりくじを収容することも考えられるが、包装容器とは別途に当たりくじ及び外れくじを作成し、それらをランダムに包装容器に収容しなければならないから、煩雑な作業を強いられることとなり、それが故に現実的ではない。
【０００７】
包装容器には、上述したような問題のほかに、以下のような問題もある。
【０００８】
包装容器ごとその商品を購入した購入者は、その商品の使用等をするときには、その包装容器から商品を取り出し、その後においてはその包装容器を廃棄していた。また、その商品を使用した後に、その商品が不要であると判断されるとその商品は、通常、廃棄されていた。
【０００９】
商品がたとえばプラスチック製である場合に、プラスチック製商品が使用済みになったからといってそのプラスチック製商品を廃棄しているのでは、プラスチックの原料が石油であることを考慮すると、資源の無駄使いであることが明らかである。
【００１０】
また、包装容器が紙製である場合、紙の原料であるパルプは木材から製造されるので、開封後の紙製包装容器を単に廃棄するのは、プラスチックの場合と同様に資源の無駄使いになる。
【００１１】
使用済みのプラスチック製商品を廃棄乃至投棄することは、プラスチックは難分解性であることにより、環境に悪影響を与えることになる。またプラスチック製商品を焼却処理すると、ダイオキシン等の環境ホルモンの発生を招いて環境の悪化乃至破壊をもたらすことになる。また、開封後の紙製包装容器を単に廃棄乃至焼却処理していると、紙の原料である森林の枯渇を招くばかりか、森林面積の減少による地球温暖化等の厳しい環境問題が
発生する。
【００１２】
したがって、近年の環境保護の観点からすると、包装容器内から取り出した商品はその使用後にできるだけ回収を行って資源として再利用することが必要であり、また、開封後の紙製包装容器についても、これを回収して再利用を図り、森林資源を保護することが望まれる。
【００１３】
しかしながら実際には、商品の購入者がその包装容器を一つ一つ資源回収業者に提供することは煩雑であり、使用済みのプラスチック製商品を一つ一つ資源回収業者に提供することも煩雑であるから、開封後の包装容器及び包装容器内に収容されていたところの使用済みの商品を資源回収業者に送付することをせずに単に廃棄処理するだけであり、資源回収の実が上がらなかった。
【００１４】
なお、使用済みの商品及び包装容器を組織的に回収する技術は、未だ提案されていない。
【発明の開示】
【発明が解決しようとする課題】
【００１５】
この発明は、商品を包装するという包装機能のみならず、情報開示機能を備えた包装容器を提供することを目的とする。この発明の他の目的は、商品包装機能を有するのみならず、その商品が使用済みに成ったときにはその使用済み商品を包装して返送することができ、これによって使用済み包装容器の回収及び使用済みの商品回収の機能を発揮することのできる包装容器を提供することを、目的とする。この発明のさらに他の目的は、商品包装機能のみならず、内容物を取り出して使用済みになった包装容器を、内容物を収容して他所に送付することのできる搬送用の包装容器を提供することを、目的とする。
【課題を解決するための手段】
【００１６】
前記課題を解決するための手段として、
請求項１は、
重ね合わせられた下側重合部と上側重合部とを備え、上側重合部はその一部又は全部を下側重合部から完全分離不能に剥離可能に形成され、剥離された上側重合部の重合面及び／又は下側重合部の露出可能な露出面に情報が記載又は記載可能にされてなることを特徴とする包装容器であり、
請求項２は、
前記上側重合部は、係留開口部を備えることにより、下側重合面から剥離されるとハンガーを形成可能とする前記請求項１に記載の包装容器であり、
請求項３は、
内容物を取り出し可能に形成された取出し部と、前記取出し部に隣接する下側重合部とこの下側重合部に重ね合わされた上側重合部とを備え、前記上側重合部は、その一部又は全部を下側重合部から完全分離不能に剥離可能に形成され、剥離されたその一部又は全部が前記取出し部を封緘可能に形成され、前記下側重合部は、上側重合部の剥離により露出する露出面に情報が記載又は記載可能にされた情報開示面を有してなることを特徴とする包装容器であり、
請求項４は、
前記上側重合部は、取出し部を封鎖する封鎖部と包装容器に設けられた差込み片用切り目に挿入可能な差込み片を形成可能な差込み片形成部とを有してなる前記請求項３に記載の包装容器であり、
請求項５は、
前記上側重合部は、取出し部を封鎖する封鎖部を備えず、包装容器に設けられた差込み片用切り目に挿入可能な差込み片を形成可能な差込み片形成部を有してなる前記請求項３に記載の包装容器であり、
請求項６は、
前記上側重合部を下側重合部から完全分離不能に剥離した後に形成される下側重合部の露出面は、運送により届ける先の住所又は居所が記載され、又は前記住所又は居所が記載可能に形成され、ジッパ付きの袋に収容された内容物を収容して運送可能とすることを特徴とする請求項４に記載の包装容器である。
【発明の効果】
【００１７】
この発明に係る包装容器は、上側重合部を下側重合部から完全分離不能に剥離可能に形成されているので、上側重合部を下側重合部から剥離すると、包装容器の表面積を拡張することができる。したがって、この上側重合部の重合面及び／又は下側重合部の露出可能な露出面に情報が記載又は記載可能であると、この露出面に種々の情報を表現することができる。例えば、表面積拡張により新たに形成される露出面を情報開示面とし、この情報開示面にたとえば各種の情報たとえば商品情報、富くじ情報、販売者及び／又は製造者に関する企業情報等の情報を記載乃至表現することができる。したがって、この発明は、単に商品を包装するという包装機能に加えて新たな情報提供機能を有する多機能の包装容器を提供することができる。
【００１８】
この発明に係る包装容器においては、上側重合部を、係留開口部を備えたハンガーとすることにより、製造時又は出荷時における包装容器にはその包装容器から突出するハンガーを設ける必要がなくなり、店頭陳列時にハンガーを形成することによりハンガーによりぶら下げた商品陳列が可能になる。したがって、この発明によると、出荷時においてはハンガー等の出っ張り部分がなく、したがって商品を収容した大量の包装容器を所定の搬送容器にコンパクトに詰め合わせることができる包装容器を提供することができる。
【００１９】
この発明においては、上側重合部の重合面及び／又は下側重合部の露出可能な露出面を記載可能な情報記載欄とすることができる。この情報記載欄を宛名記載欄とすると、この包装容器は、運送用例えば郵送用、バイク便用等の運送用容器の機能が発揮される。
【００２０】
この発明に係る包装容器における運送用容器の機能は、種々の局面で発揮される。例えば、この発明に係る包装容器に収容された商品を包装容器ごと入手した購入者は、その商品が使用済みで不要になったときには、その包装容器に使用済み商品を収容し、下側重合部と上側重合部との重ね合わせ部から上側重合部を剥離して開封部をその上側重合部で封緘し、封緘した状態でその商品を包装容器ごと所定の個所に送付することができる。この発明に係る包装容器によると、使用済みの商品及び包装容器を所定の個所乃至部署に収集することができ、収集後に使用済みの商品及び使用済みの包装容器を新たな資源として再利用することができる。したがって、この発明の包装容器は、環境保護に適した物品である。
【００２１】
また、この発明に係る包装容器によると、開封後の包装容器に、ジッパ付きの袋に収容した内容物を収容すると、この内容物から液体の浸出、漏洩、又は浸潤等のおそれがあるにもかかわらず、搬送の途中で内容物から生じる液体が包装容器外に漏出することがなく、安全に搬送可能である。また、宛名記載欄は、搬送先例えば郵送先等が予め決定されているのであれば、印刷等により宛名記載欄に宛名等が記載されていても良い。
【発明を実施するための最良の形態】
【００２２】
（第１の形態）
この発明の包装容器の一例を図１に示す。図１に示される包装容器５０は、内部に商品を収容することができ、背面部５１、右側面部５２（なお、この「右側面部」における「右」は背面部５１を正面として見たときに右側に位置することからこのように命名したに過ぎない。）、左側面部（図示されず。）、正面部（図示されず。）、上面部５３及び底面部（図示されず。）を備えた直方体の形状をなす。前記背面部５１は、平面板状の下側重合部５４と平面板状の上側重合部５５とを重ね合わせて形成される。前記上側重合部５５には、この上側重合部５５の上端縁から所定の距離Ａのところで上側重合部５５から上側重合部５５の右端縁に並行に下降し、次いで上側重合部５５の上端縁から下端縁までの略１／３のところで上側重合部５５の上端縁に並行に成るように向きを変え、次いで、上側重合部５５の左端縁から前記距離Ａと同じ距離Ｂのところで上方に向きを変えるようにして略Ｕ字状に形成されたミシン目５６を、有する。また、この上側重合部５５は、このミシン目５６における上側重合部５５の上端縁に平行な部分には、半円形の切欠部５７を有する。この上側重合部５５は、また、ミシン目５６と上側重合部５５の上端縁とで囲まれた部分に、係留開口部５８を、開設してなる。
【００２３】
この包装容器５０においては、出荷時には図１に示されるように、上側重合部５５と下側重合部５４とが重合され、前記ミシン目５６と上端部とで囲まれた部位の裏側には接着剤が塗布されずに、前記ミシン目５６と上端部とで囲まれた部位以外の裏側には接着剤で上側重合部５５と下側重合部５４とが一体に接着されてなる。
【００２４】
このような構造を有する包装容器５０は、上側重合部５５と、その上側重合部５５における山折り可能な側端線を介して延在形成された左側面部と、その左側面部における山折り可能な側端線を介して延在形成された背面部と、その背面部における山折り可能な側端線を介して延在形成された右側面部５２と、その右側側面部５２における山折り可能な側端線を介して延在形成された下側重合部５４と、右側側面部５２の上端縁を山折り可能な折れ線としてこれを介して延在形成された上部右側糊代部と、その右側側面部５２の下端縁を山折り可能な折れ線としてこれを介して延在形成された下部右側糊代部と、左側側面部の上端縁を山折り可能な折れ線としてこれを介して延在形成された上部左側糊代部と、その左側側面部の下端縁を山折り可能な折れ線としてこれを介して延在形成された下部左側糊代部と、上側重合部５５の上端縁を山折り可能な折れ線としてこれを介して延在形成された上面部５３と、前記上側重合部５５の下端縁を山折り可能な折れ線としてこれを介して延在形成された底面部と、前記背面部の上端縁を山折り可能な折れ線としてこれを介して延在形成された上面部重ね代部と、前記背面部の下端縁を山折り可能な折れ線としてこれを介して延在形成された底面部重ね代部とを有する展開板を、折り曲げて組み立てることにより、形成乃至作成することができる。また、この種の包装容器を組み立てるための展開板及びその変形例は、後述する他の形態で示される展開板を参照することにより、容易に理解することができる。
【００２５】
この包装容器５０は、出荷時には図１に示されるように、出っ張り部分のない略直方体に形成されている。したがって、内部に商品が収容されたこの包装容器５０の多数を、輸送容器に、コンパクトに詰め合わせることができる。
【００２６】
そして、この包装容器５０を店頭に陳列する場合、前記切欠部５７から前記ミシン目５６を破断し、これまでミシン目５６と上端部とで囲まれていた部位を引き起こし、図１に示されるように、上面部５３に対して直角に立てる。直角に立てられた片は、ハンガー部５９となる。このハンガー部５９における係留開口部５８に、陳列棚におけるピン（図示せず。）を挿通することにより、宙釣り状態にしてこの包装容器を陳列することができる。また、ハンガー部５９を立てることにより露出した下側重合部５４の露出面６０に、購入者及び販売者に有意義な情報を印刷しておくと、出荷時における包装容器５０の外表面に印刷した情報よりも多い情報量を、提供することができる。
【００２７】
（第２の形態）
図２にこの発明の一例である第２の形態を示す。図２に示されるように、この包装容器５０Ａは、第１の態様である包装容器５０と同様に、内部に商品を収容することができ、正面部６１、背面部（図示せず。）、右側面部（図示せず。）、左側面部６２、上面部５３及び底面部（図示されず。）を備えた直方体の形状をなす。
【００２８】
この包装容器５０Ａが、第１の態様である包装容器５０と相違するところは、正面部６１を形成する上側重合部６３に、正面部６１の下端から所定高さの位置を出発点としてそこから僅かに縦に伸び、次いでＳ字カーブを描くようにして正面部６１の右端に向かい、正面部６１の右端から所定の距離のところで縦方向に向かい、正面部６１の上端から所定の位置で上端に並行に向かい、正面部６１の左端から所定の距離のところで向きを変えて下方に下り、前記Ｓ字カーブと対称となるカーブを描いて前記出発点に対して左右対称な位置を到着点になるように、ミシン目が形成され、前記ミシン目における出発点と到着点とを結ぶように谷折れ線が形成されること、このミシン目を破断することにより形成される破断線で囲まれた引き起こし片６４がハンガー部とは成らずにその裏側面に、情報が印刷されていることにより広告片となっていること、前記引き起こし片６４を引き起こすことにより露出する下側重合部６５の露出面６６にも情報が記載されていることによりこの露出面６６が広告面になっていること、である。
【００２９】
このような構造を有する包装容器５０Ａは、前記第１の態様の包装容器５０と同様に、出荷時には、出っ張り部分のない略直方体に形成されている。したがって、内部に商品が収容されたこの包装容器５０Ａの多数を、輸送容器に、コンパクトに詰め合わせることができる。この包装容器５０を店頭に陳列する場合、引き起こし片６４を引き起こし、正面部６１から垂下するようにしてその裏側面に形成された広告面を露出させ、また下側重合部６５における露出面６６を露出させてその露出面６６に形成された広告面を広告として表示することができる。
【００３０】
図２においては、引き起こし片６４が正面部６１から引き起こされてぶら下げられる形態であるが、この引き起こし片６４は、正面部６１を形成する上側重合部を引き起こしてその裏面を露出させその裏面を情報記載面として活用することのできる限り様々な態様を採り得る。
【００３１】
たとえば図３に示されるように、包装容器５０Ｂの正面部６１を形成する上側重合部６３に、引き起こし片６４を形成するためにミシン目が、正面部６１の下端縁に並行な谷折れ線の一端を出発点とし、その出発点から縦に伸び、正面部６１の上端縁近傍で水平に折れ曲がり、正面部６１の所定位置で下降して前記谷折れ線の他端に到着するように、形成されていてもよく、図４に示されるように、引き起こし片６４の中央部に谷折れ線６７を形成しておき、引き起こし片６４を前記谷折れ線６７を棟とする切妻型の形状にしてもよい。
【００３２】
また図５に示されるように、引き起こし片６４を、正面部６１における右端縁に並行な谷折れ線６８で折り曲げて引き起こすことができるように、ミシン目を形成することもできる。
【００３３】
図２、図４及び図５においては、引き起こし片６４を引き起こすことにより、露出する下側重合部の露出面には、商品の宣伝広告等の情報が記載される。また図３に示されるように、引き起こし片６４を引き起こすことにより、露出する下側重合部の露出面には、富くじが記載される。
【００３４】
以上の第１の形態及び第２の形態を代表例として、この発明の包装容器の構造について以下のような変形例を一例として摘示することができる。
【００３５】
（１）下側重合部と上側重合部とを重ね合わせて重ね合わせ部を形成するが、その重ね合わせ部は、たとえば包装容器における任意の表面であってもよく、たとえば直方体及び立方体のいずれの面であってもよい
（２）包装容器の形状は直方体に限らず、立方体、図１５に示されるような手提げ部７０Ａと、この手提げ部７０Ａから曲面状に下降するように形成された曲面部７０Ｂと、その曲面部７０Ｂに連続して垂直に形成された垂直面部７０Ｃと、一対の湾曲側面部７０Ｄ及び垂直側面部７０Ｅからなる一対の側面部７０Ｆ及び底面部とを備えてなる異形の包装容器７０、図１６に示されるように、六角形をした上面部８０Ａ、六枚の長方形をなす側面部８０Ｂ、及び前記上面部８０Ａに対応して底部に形成された底面部（図示せず。）を備えて成る六角柱状の包装容器８０、図１７に示されるように、三角形をなす右側面部９０Ａ、この右側面部９０Ａに相対向する三角形の左側面部９０Ｂ、及び三枚の側面部９０Ｂから成る三角柱状の包装容器９０、図１８に示されるように、長手方向断面が凸レンズ状に上下に湾曲してなる上部湾曲面部１００Ａ及び下部湾曲面部（図示せず。）と湾曲した左右側面部１００Ｂからなる包装容器１００、図１９に示されるように、左右に湾曲した側辺１１０Ｂを有する正面部１１０Ａを備えた三味線胴状の包装容器１１０等、どのような形状であってもよい。
【００３６】
（３）前記重ね合わせ部における上側重合部に形成されるミシン目により形成される形状は、このミシン目を破断することにより得られる引き起こし片を引き起こすことにより下側重合部の露出面すなわち情報開示面（なお、この情報開示面を情報記載面と称しても良い。）が必要な情報を記載するのに十分な面積を有する限り、どのようであってもよい。
【００３７】
（４）前記引き起こし片は、その裏側面を情報記載面として使用されてもよく、また、他の用途たとえばハンガー部として使用されても良い。
【００３８】
（５）引き起こし片を引き起こすことにより露出する下側重合部の露出面及び／又は引き起こし片の裏側面に記載される情報は、消費者等の購入者にとって有意義な情報、購入者の購買意欲を向上させる情報等であればどのような情報であっても良い。有意義な情報として、たとえば、収容されている商品に関する内容説明、取り扱い説明、及び警告説明等の商品情報、商品の製造者及び／又は販売者に関する情報たとえば企業理念説明、関連事業説明等の提供者情報、各種宣伝広告情報、その商品を提供する提供者とリンクしている企業又は個人に関する情宣情報、富くじ情報、商品とは関係のない学問的情報たとえば小学生、中学生、高校生等の生徒乃至学生向けの学問情報等のあらゆる情報を挙げることができる。いずれの情報をこの情報開示面に開示するかは、商品提供者による。
【００３９】
（６）この発明に係る包装容器は、図１〜図５に示されるように、上側重合部の一部が下側重合部と結合した状態を維持したまま下側重合部から上側重合部が剥離可能に形成されて成る構造に限らず、下側重合部における表側面の全面が露出してその全面が情報開示面となるように、上側重合部の端部が、右側面部、左側面部、底面部又は上面部と結合した状態を維持したまま下側重合部から上側重合部が剥離可能に形成されて成る構造であっても良い。
【００４０】
（７）この発明に係る包装容器は、第３の形態以降に示されるように、上側重合部の一部又は全部が下側重合部と結合した状態を維持したまま下側重合部から剥離することのできる構造を有する上側重合部は、包装容器の他の部位に形成された差込み片用切り目（なお、「係止用スリット」と称されることがある。）に差し込まれて上側重合部を固定する差込み片を有していても良い。
【００４１】
（８）この発明に係る包装容器は、前記ミシン目で上側重合部を剥離可能にする代わりに、破断線とすることもできる。例えば図１に示されるミシン目５６を破断線にすることができる。そして、下側重合部の表面と上側重合部の裏面とを剥離性接着剤で接着しておくと、上側重合部の剥離を容易に行うことができる。
【００４２】
（第３の形態）
この発明の一例としての包装容器１の外観を図６に示し、その包装容器１を組み上げる前の展開板２を図７に示す。図６及び図７に示されるように、図７に示される展開板２を組み立てて形成されたこの包装容器１は、正面部３と、この正面部３と相対向するように背後に位置する背面部４（図７参照）と、左側面部５と、右側面部６（図７参照）と、底面部７と、ハンガー１０とを有する。この包装容器１は、図６に示されるように、正面部３、左側面部５、右側面部６、底面部７、及び背面部４とで略直方体に形成された直方体部８と、この直方体部８の上部であって、左側面部５に連続する左側面上方部５Ａ及び右側面部６に連続する右側面上方部６Ｂをそれぞれ内側に傾斜するように、且つ三角に折り曲げる一方、正面部３の左側面部５及び右側面部６よりも上側に位置する平面部をそれぞれ互いに接近するように傾斜させて山形に形成してなる合掌部９と、正面部３及び背面部４それぞれの上端縁に設けられたハンガー片１０Ａ及び１０Ｂをそれぞれ重合することにより形成されたハンガー１０とを有する。なお、図６及び図７における１１は、ハンガー１０に開設された係留開口部である。この係留開口部１１は、これにたとえば店頭における陳列棚にあるフック棒乃至ピン等の係留部材を挿通することにより、そのフック棒にこの包装容器１をぶら下げることができるようになっている。
【００４３】
この包装容器１は、図７に示される展開板２を組み立てて形成される。図７に示されるように、展開板２は、正面部３の長手方向一辺に連続して略長方形の左側面部５及び左側面上方部５Ａが延在して形成され、この左側面部５及び左側面上方部５Ａの長手方向一辺に連続して背面部４が延在して形成され、この背面部４の長手方向一辺に連続して略長方形の右側面部６及び右側面上方部６Ａが延在して形成され、この右側面部６及び右側面上方部６Ａの長手方向一辺に連続して下側重合部１２が延在して形成される。
【００４４】
前記左側面上方部５Ａには、左側面部５と左側面上方部５Ａとの境界線を底辺とし、かつ前記左側面部上方部５Ａにおける前記境界線に並行な他端辺に頂点を有する二等辺三角形における二つの斜辺を形成するように、破線状のミシン目１３が形成される。この破線状のミシン目１３は、この破線状のミシン目１３で形成されるラインの谷折りを容易にするためである。
【００４５】
同様に、前記右側面上方部６Ａには、右側面部６と右側面上方部６Ａとの境界線を底辺とし、かつ前記右側面上方部６Ａにおける前記境界線に並行な他端辺に頂点を有する二等辺三角形における二つの斜辺を形成するように、破線状のミシン目１４が形成される。この破線状のミシン目１４は、この破線状のミシン目１４で形成されるラインの谷折りを容易にするためである。
【００４６】
前記正面部３の長手方向一辺に直交する短手方向一辺を境界線として、この短手方向一辺から延在するように、横長の略長方形をしたハンガー片１０Ａが、形成される。また、前記正面部３の、前記ハンガー片１０Ａとは反対側の短手方向一辺を境界線として、この短手方向一辺から延在するように、外側底面部１９が、形成される。
【００４７】
前記正面部３には、略長方形に形成されたこの正面部３の長手方向一辺に近接し、且つ並行なミシン目１５Ａと、他の長手方向一辺に近接し、且つ並行なミシン目１５Ｂと、前記ハンガー片１０Ａとこの正面部３との境界線に近接し、且つ並行に形成されたミシン目１５Ｃとで、略コ字状に形成されたミシン目１５が形成され、前記ミシン目１５Ｃから前記ミシン目１５Ａに並行な谷折れ線１６Ａと前記ミシン目１５Ｃから前記ミシン目１５Ｂに平行な谷折れ線１６Ｂとが形成され、前記谷折れ線１６Ａの先端から前記ミシン目１５Ａに向けて切込み線１７Ａと前記谷折れ線１６Ｂの先端から前記ミシン目１５Ｂに向けて切込み線１７Ｂとが形成されている。
【００４８】
この正面部３には、前記谷折れ線１６Ａの先端と前記谷折れ線１６Ｂとを結ぶように、且つ正面部３とハンガー片１０Ａとの境界線に並行になるように、谷折れ線１８Ａが形成され、前記ミシン目１５Ａの端部と前記ミシン目１５Ｂの端部とを結ぶように、且つ前記谷折れ線１８Ａに並行になるように、谷折れ線１８Ｂが形成され、また、前記谷折れ線１８Ａと前記谷折れ線１８Ｂとの間であって、これら谷折れ線１８Ａ及び１８Ｂに並行になるように、且つ前記ミシン目１５Ａと前記ミシン目１５Ｂとを結ぶように谷折れ線１８Ｃが形成される。
【００４９】
前記谷折れ線１８Ｂと前記谷折れ線１８Ｃとの間隔Ｈ２は、外側底面部１９と前記正面部３との境界線と、前記谷折れ線１８Ｂとの間隔Ｈ１にほぼ等しい寸法に設計される。このように設計しておくと、展開板２を組み立ててなる包装容器１において、谷折れ線１８Ｃを、正面部３と底面部７との角に一致させて谷折れさせることができるようになる。前記谷折れ線１８Ｃと前記谷折れ線１８Ａとの間隔Ｈ３は、包装容器１における底面部７の短手方向における幅とほぼ同じ寸法に設計される。このように設計しておくと、包装容器１において、前記谷折れ線１８Ｂと前記谷折れ線１８Ａとに挟まれて成る平面部で、一旦開封した底面部７を、封緘することができる。
【００５０】
前記正面部３の一方の短手辺を境界として形成された外側底面部１９は、図７に示されるように、前記左側面部５の短手方向幅とほぼ同じ寸法を有する短手方向幅と、前記正面部３における短手方向幅とほぼ同じ寸法を有する長手方向幅とを有して、略長方形に形成された重ね片であり、ジッパ２０と、第１切り取り線２１と、第２切り取り線２２とを備える。このジッパ２０は、図７に示されるように、正面部３とこの外側底面部１９との境界線に位置するように一列に配列された複数の「くの字状」切り込み部からなる第１切込み線２０Ａと、正面部３とこの外側底面部１９との境界線に並行になるようにこの外側底面部１９の略中央部に位置するように一列に配列された複数の「くの字状」切り込み部からなる第２切込み線２０Ｂと、この第１切込み線２０Ａ及び第２切込み線２０Ｂの一端側で「コ字状」に切り込まれた引き起こし線２０Ｃと、この第１切込み線２０Ａ及び第２切込み線２０Ｂの他端側で直線状に形成されたミシン目２０Ｄとを有する。ジッパ２０がこのように形成されていると、第１切り取り線２１と第２切り取り線２２とを切り離した後に、引き起こし線２０Ｃを爪又は鋭利に尖ったもので引き起こし、更に引き起こし線２０Ｃで囲まれる小片を摘んで第１切込み線２０Ａと第２切込み線２０Ｂとを切り離し、ついにはミシン目２０Ｄを切断することにより、このジッパ２０を容易に切除することができる。
【００５１】
この外側底面部１９には、前記引き起こし線２０Ｃから延長されて外側底面部１９の長手辺に至るように、ミシン目２０Ｅが形成され、また、ミシン目２０Ｄから延長されて外側底面部１９の長手辺に至るように、ミシン目２０Ｆが形成される。なお、ミシン目２０Ｅ及びミシン目２０Ｆの代わりに裁断線が形成されていても良い。
【００５２】
このようにして、この外側底面部１９は、ジッパ２０と、第２切込み線２０Ｂと外側底面部１９の長手方向辺とミシン目２０Ｅとミシン目２０Ｆとで区画された糊付け重合部１９Ａと、引き起こし線２０Ｃ及びミシン目２０Ｅと外側底面部１９の短手方向辺とで区画された左重合部１９Ｂと、ミシン目２０Ｄ及びミシン目２０Ｆと外側底面部１９の短手方向片とで区画された右重合部１９Ｃとを有してなることになる。前記糊付け重合部１９Ａの裏面には、接着剤が塗布されている。
【００５３】
前記左側面部５の、前記左側面上方部５Ａとは反対側に延在するように、第１重ね代部２３が、形成される。
【００５４】
背面部４は、図７に示されるように、左側面部５の長手方向の辺を隣接境界線として、左側面部５から延在して形成される。この背面部４の大きさは、前記正面部３とほぼ同じ大きさに設計される。
【００５５】
背面部４の短手方向の辺を境界線としてこれを共有するように、背面部４から延在するように、ハンガー片１０Ｂが、形成される。このハンガー片１０Ｂの裏面には、接着剤が塗布されていて、前記ハンガー片１０Ａの裏面とこのハンガー片１０Ｂの裏面とを重ね合わせ、前記接着剤によりこれらを一体化することにより、ハンガー１０が形成されるようになっている。
【００５６】
背面部の、前記ハンガー片１０Ｂとは反対側の短手方向の辺を境界線としてこれを共有するように、背面部４から延在するように、内側底面部２４が、形成される。この内側底面部２４と背面部４との境界線となっている背面部４の短手方向の辺には、差込スリット形成用ミシン目２５が形成されていて、前記「コ字状」のミシン目１５を破断することにより形成されるとともに、前記谷折れ線１６Ａ及び前記谷折れ線１６Ｂに挟まれて成る差込み片２８を、前記差込スリット形成用ミシン目２５を破断することにより形成される差込部（図示せず）に、挿入することができるようになっている。したがって、この差込スリット形成用ミシン目２５の長さ及び位置については、前記差込み部に差込み片２８を挿入することができるように、適宜に決定される。
【００５７】
右側面部６及び右側面上方部６Ａは、前記背面部４の、前記正面部３とは反対側の長手方向の辺を境界線として、前記背面部４から延在して形成される。この右側側面部６の、右側面上方部６Ａとは反対側の短手方向の辺を境界線として共有するとともにこの右側面部６から延在するように、第２重ね代部２６が設けられる。
【００５８】
前記下側重合部１２は、その平面における大きさが前記正面部３の平面における大きさと実質的に同じ大きさに設計される。この下方重合面１２の表面側には、この下方重合面１２の表側面を前記正面部３の裏側面に重ね合わせたときに、前記左側面部５及び左側面上方部５Ａにより形成される略長方形の長手方向辺を境界線として共有するこの正面部３における長手方向辺とミシン目１５Ｂとの間に対応する部位、及び前記左側面部５及び左側面上方部５Ａとは反対側に位置する長手方向辺とミシン目１５Ａとの間に対応する部位に、接着剤が塗工されている。
【００５９】
なお、図６及び図７において、２９で示すのは切欠部であり、差込み片２８を引き起こすのに便利になっている。
【００６０】
この包装容器１は、前記展開板２を以下のようにして組み立てることにより、形成される。
【００６１】
図７に示されるように、正面部３と左側面部５及び左側面上方部５Ａとの境界線となる長手方向辺を山折りにし、左側面部５及び左側面上方部５Ａと背面部４との境界線となる長手方向辺を山折りにし、背面部４と右側面部６及び右側面上方部６Ａとの境界線となる長手方向辺を山折りにし、右側面部６及び右側面上方部６Ａと下側重合部１２との境界線となる長手方向辺を山折りにし、下側重合部１２の表側面を正面部３の裏側面に重ね合わせる。下側重合部１２の表側面に塗工されている接着剤により、下側重合部１２の表側面と正面部３の裏側面とを一体に接着して、下側重合部１２と正面部３とを一体化する。これにより下側重合部１２と正面部３とにより、この発明における二重重合部２７が形成される。したがって、この実施の形態例においては、正面部３がこの発明における上側重合部となる。
【００６２】
二重重合部２７が形成されると、二重重合部２７、左側面部５、背面部４及び右側面部６により、断面が略長方形の筒体が形成される。左側面上方部５Ａにおけるミシン目１３を谷折りしつつ、左側面上方部５Ａと左側面部５との境界線である短手方向の辺を山折りし、同様に、右側面上方部６Ａにおけるミシン目１４を谷折りしつつ、右側面上方部６Ａと右側面部６との境界線である短手方向の辺を山折りし、次いでハンガー片１０Ａの裏側面とハンガー片１０Ｂの裏側面とを重ね合わせ、ハンガー片１０Ａ及びハンガー片１０Ｂの裏側面のいずれかに塗工されていた接着剤により前記ハンガー片１０Ａと前記ハンガー片１０Ｂとを一体に接着し、これによってハンガー１０を形成する。
【００６３】
以上の操作が終了した状態では、二重重合部２７におけるハンガー片１０Ａとは反対側の短手方向辺、左側面部５の短手方向辺、背面部４の短手方向辺及び右側面部６の短手方向辺により略長方形の開口部が形成される。
【００６４】
この開口部から内部に商品を収容する。商品の収容が終わると、第１重ね代部２３と左側面部５との境界線、及び第２重ね代部２６と右重ね代部６との境界線をそれぞれ山折りして第１重ね代部２３及び第２重ね代部２６を、前記開口部が塞がれるように折曲配置し、次いで、内側底面部２４と背面部４との境界線を山折りにすることにより、この内側底面部２４が前記開口部を閉塞するように折曲配置し、さらに、外側底面部１９と正面部３との境界線を山折りにすることにより前記内側底面部２４に重ね合わせる。そして、糊付け重合部１９Ａの裏面に塗工されている接着剤により、外側底面部１９と内側底面部２４とを重合した状態で一体的に接着する。
【００６５】
以上の操作の完了により、商品を収容した包装容器１が完成する。そして、商品を収容したこの包装容器１が流通市場に流通することになる。購入者は、商品を収容した包装容器１を入手し、以下のようにして包装容器１内の商品を取り出す。
【００６６】
すなわち、図８に示されるように、ミシン目２０Ｅ及びミシン目２０Ｆを分断して第１切り取り線２１及び第２切り取り線２２で切り分けて左重合部１９Ｂ及び右重合部１９Ｃを起こす。左重合部１９Ｂ及び右重合部１９Ｃの裏面には接着剤が塗工されていないので、この左重合部１９Ｂ及び右重合部１９Ｃの引き起こしが容易に行える。次いで、引き起こし線２０Ｃを鋭利なもの又は爪で立ち上げ、立ち上がった小片を摘んでジッパー２０を引き剥がす。ジッパー２０を引き剥がすと、糊付け重合部１９Ａの裏面と内側底面部２４とが接着されているので、乗り付け重合部１９Ａを接着した内側底面部２４が開き、第１重ね代部２３及び第２重ね代部ｂ２６も開く。この左重合部１９Ｂ、右重合部１９Ｃ、内側底面部２４、第１重ね代部２３及び第２重ね代部２６を更に曲げ広げて、二重重合部２７におけるハンガー片１０Ａとは反対側の短手方向辺、左側面部５の短手方向辺、背面部４の短手方向辺及び右側面部６の短手方向辺により形成される略長方形の開口部Ｘを現出させる。この開口部Ｘから、包装容器１に収容されていた商品を包装容器１外に取り出す。
【００６７】
この実施の形態においては、二重重合部２７におけるハンガー片１０Ａとは反対側の短手方向辺、左側面部５の短手方向辺、背面部４の短手方向辺及び右側面部６の短手方向辺により形成される略長方形の開口部が、この発明における、内部の商品を取り出す取出し部となる。この発明における取出し部は、この包装容器内に収容した内容物を取り出すための開口部であり、包装容器の一部を開放することにより形成される。
【００６８】
従来の包装容器であれば商品を包装容器から取り出すと、その包装容器を廃棄するところであるが、この発明に係る包装容器１は廃棄する必要がない。つまり、取り出した商品を使用した結果としてその商品が不要に成った場合には、前記包装容器１を利用して、たとえば製造業者にその使用済み商品を包装容器１に収容して返送することができる。
【００６９】
その場合、開封済みの包装容器１を利用して使用済み商品を以下のようにして包装する。
【００７０】
二重重合部２７におけるハンガー片１０Ａとは反対側の短手方向辺、左側面部５の短手方向辺、背面部４の短手方向辺及び右側面部６の短手方向辺により形成される略長方形の開口部から包装容器１内に使用済みの商品を収容する。なお、使用済みの商品（この商品を使用済み商品と称することもある。）の種類、質、形態により、使用済み商品から液体が浸出乃至漏出する場合には、また、使用済み商品が粘着質である場合には、防水性のチャック付き袋に使用済み商品を入れ、チャック付きの袋ごと使用済み商品を、包装容器１内に、収容する。
【００７１】
包装容器１内に商品を収納し終わると、前記開口部を閉鎖するように、第１重ね代部２３及び第２重ね代部２６を曲げ、その第１重ね代部２３及び第２重ね代部２６の上に更に左重合部１９Ｂ及び右重合部１９Ｃを重ねる。次いで、内側底面部２４を曲げてそれらの上に重ねる。
【００７２】
一方、切欠部２９に爪を立てること、又は鋭利な器具等を差し込むことにより、ミシン目１５Ａ、１５Ｂ及び１５Ｃを破断する。谷折れ線１８Ｃ及び１８Ａを谷折りし、谷折れ線１６Ａ及び１６Ｂを差込み片２８側に折り曲げ、図９に示されるように、上側重合部すなわち正面部３の一部である引き起こし部３０を引き起こす。
【００７３】
引き起こし部３０を反転するようにして、谷折れ線１８Ｂと谷折れ線１８Ｃに挟まれた当接部３１を、第１切込み線２０Ａと谷折れ線１８Ｂとで挟まれた正面部３の部分表面に、当接し、谷折れ線１８Ｃを直角に折り曲げることにより谷折れ線１８Ｃと谷折れ線１８Ａとで挟まれた底面当接部３２を内側底面部２４の表側面に重ね合わせ、さらに谷折れ線１８Ａを底面当接部３２に対して直角に折り曲げると共に、第１係止片３３Ａ及び第２係止片３３Ｂを差込み片２８に重畳するように重ね合わせた状態のまま差込み片２８を、差込スリット形成用ミシン目２５を破断して形成された差込み用切り目（図示せず。）に挿入する。差込み片２８を差込み用切り目に挿入し終わると、差込み片２８に強制的に重ね合わされていた第１係止片３３Ａ及び第２係止片３３Ｂが包装容器１内で差込み片２８の重ね合わせ状態から若干の起立状態に戻る。若干の起立状態になっている第１係止片３３Ａ及び第２係止片３３Ｂが、差込み用切り目から差込み片２８が引き出されるのを、阻止する。したがって、一旦差込み片２８を差込み用切り目に挿入した後においては、包装容器１を破壊しない限り、差込み片２８は差込み用切り目から容易に脱離することはない。この例においては、正面部３がこの発明における上側重合部に対応し、前記底面当接部３２がこの発明における封鎖部に対応し、正面部３から起立されるまでの差込み片２８がこの発明における差込み片形成部に対応する。また、差込みスリット形成用ミシン目２５は、ミシン目を破断すると、この発明における差込み片用切り目となる。
【００７４】
図９に示されるように、正面部３すなわち上側重合部から引き起こし部３０を引き立てると、下側重合部１２の表側面が露出する。この露出面は情報開示部である。この下側重合部１２の露出面に、たとえばこの商品の製造者又は販売者等の住所等の情報が印刷されていると、この包装容器１に切手を貼付することにより、又は受信人払いとすることにより、前記製造者又は販売者等に、使用済み商品を収容した包装容器１を、郵送することができる。
【００７５】
そうすると、その商品の製造者又は販売者等は、使用済み商品を回収することができるばかりか、包装容器１の回収も同時に行うことができる。そして、包装容器１が紙製又はプラスチック製であるならば、再生紙の原料として又は再生プラスチックの原料として回収された包装容器１が再利用され、同時に、回収された使用済み商品がプラスチック製であるなら、回収された使用済み商品がプラスチック再利用の資源として活用される。
【００７６】
（第４の形態）
図１０に、この発明の一例である包装容器を組み立てることのできる展開板２Ａを示す平面図である。この展開板２Ａが前記第３の形態における展開板２と相違する主要な点は、
(1)第１の態様における展開板２には背面部４と内側底面部２４との境界線上に差込スリット形成用ミシン目２５が設けられているのに対し、図１０に示されるように、第２の態様における展開板２Ａには背面部４に１本の差込み用切り目３４が、前記境界線から距離Ｈ４の位置に、設けられていること（なお、この差込み用切り目３４の変わりに、破断すると差込み用切り目とすることのできるミシン目が形成されていても良い。）、
(2)第1の態様における展開板２には、図７に示されるように、谷折れ線１８Ａと谷折れ線１６Ｂとの交点からミシン目１５Ｂに向かって切込み線１７Ｂが形成され、また、谷折れ線１８Ａと谷折れ線１６Ａとの交点からミシン目１５Ａに向かって切込み線１７Ａが形成されているのに対し、図１０に示されるように、第２の態様における展開板２Ａには、谷折れ線１８Ａから距離Ｈ４の位置にある谷折れ線１６Ａの先端からミシン目１５Ａに向かって切込み線３６Ａが形成され、谷折れ線１８Ａから距離Ｈ４の位置にある谷折れ線１６Ｂの先端からミシン目１５Ｂに向かって切込み線３６Ｂが形成されること、
である。
【００７７】
この例においては、正面部なっている二重重合部２７がこの発明における上側重合部に対応し、前記底面当接部３２がこの発明における封鎖部に対応し、正面部３から起立されるまでの差込み片２８がこの発明における差込み片形成部に対応する。前記差込み用切り目３４が、この発明における差込み片用切り目に対応する。
【００７８】
上記のように形成された展開板２Ａを用いて包装容器を組み立てる組み立て操作、包装容器内に商品を収容する収容操作、包装容器を開封して内部の商品を取り出す開封操作は、第３の態様である包装容器１を展開板２を用いて包装容器を組み立てる組み立て操作、包装容器１内に商品を収容する収容操作、包装容器１を開封して内部の商品を取り出す開封操作と、同じである。
【００７９】
開封済みの包装容器内に使用済みの商品を収容し、封緘する操作は、以下のようにして行う。
【００８０】
すなわち、二重重合部２７におけるハンガー片１０Ａとは反対側の短手方向辺、左側面部５の短手方向辺、背面部４の短手方向辺及び右側面部６の短手方向辺により形成される略長方形の開口部から包装容器内に使用済みの商品を収容する。
【００８１】
包装容器内に商品を収納し終わると、前記開口部を閉鎖するように、第１重ね代部２３及び第２重ね代部２６を曲げ、その第１重ね代部２３及び第２重ね代部２６の上に更に左重合部１９Ｂ及び右重合部１９Ｃを重ねる。次いで、内側底面部２４を曲げてそれらの上に重ねる。
【００８２】
一方、切欠部２９に爪を立てること、又は鋭利な器具等を差し込むことにより、ミシン目１５Ａ、１５Ｂ及び１５Ｃを破断する。谷折れ線１８Ｃ及び１８Ａを谷折りし、谷折れ線１６Ａ及び１６Ｂを差込み片２８側に折り曲げ、上側重合部すなわち正面部３の一部である引き起こし部３０を引き立てる。
【００８３】
引き起こし部３０を反転するようにして、谷折れ線１８Ｂと谷折れ線１８Ｃに挟まれた当接部３１を、第１切込み線２０Ａと谷折れ線１８Ｂとで挟まれた正面部３の部分表面に、当接し、谷折れ線１８Ｃを直角に折り曲げることにより谷折れ線１８Ｃと谷折れ線１８Ａとで挟まれた底面当接部３２を内側底面部２４の表側面に重ね合わせ、さらに谷折れ線１８Ａを底面当接部３２に対して直角に折り曲げると共に、谷折れ線１８Ａから谷折れ線１６Ａ及び谷折れ線１６Ｂの先端までの第２当接部３７を背面部４の表側面に当接し、第１係止片３５Ａ及び第２係止片３５Ｂを差込み片２８に重畳するように重ね合わせた状態のまま差込み片２８を、差込み用切り目３４に挿入する。差込み片２８を差込み用切り目３４に挿入し終わると、差込み片２８に強制的に重ね合わされていた第１係止片３５Ａ及び第２係止片３５Ｂが包装容器内で差込み片２８の重ね合わせ状態から若干の起立状態に戻る。若干の起立状態になっている第１係止片３５Ａ及び第２係止片３５Ｂが、差込み用切り目から差込み片２８が引き出されるのを、阻止する。したがって、一旦差込み片２８を差込み用切り目３４に挿入した後においては、包装容器を破壊しない限り、差込み片２８は差込み用切り目３４から脱離することはない。また、第２当接部３７と当接部３１とで正面部３及び背面部４を締め付けているので、反転した引き起こし部３０による封緘が確固とした状態になる。
【００８４】
（第５の形態）
図１１は、この発明の一例である包装容器を組み立てることのできる展開板２Ｂを示す平面図である。
【００８５】
この展開板２Ｂが前記第３の形態における展開板２と相違する主要な点は、
(1)第３の態様における展開板２には背面部４と内側底面部２４との境界線上に差込スリット形成用ミシン目２５が設けられているのに対し、図１１に示されるように、第５の態様における展開板２Ｂには背面部４に２本の差込みスリット形成用ミシン目２５Ａ，２５Ｂが、背面部４と内側底面部２４との境界線上に、所定間隔を隔てて設けられていること、
(2)第３の態様における展開板２には、図７に示されるように、谷折れ線１８Ａと谷折れ線１６Ｂとの交点からミシン目１５Ｂに向かって切込み線１７Ｂが形成され、また、谷折れ線１８Ａと谷折れ線１６Ａとの交点からミシン目１５Ａに向かって切込み線１７Ａが形成されているのに対し、図１１に示されるように、この第５の態様における展開板２Ｂには、谷折れ線１８Ｃから距離Ｈ３離れた位置にミシン目１５Ａから谷折れ線１８Ｃに並行に延在する谷折れ線１７Ｃと、谷折れ線１８Ｃから距離Ｈ３離れた位置にミシン目１５Ｂから谷折れ線１８Ｃに並行に延在する谷折れ線１７Ｄと、前記谷折れ線１７Ｃと谷折れ線１７Ｄとを連結するミシン目４０と、このミシン目４０とミシン目１５Ｃの中間とを連結するように形成されたミシン目４１と、前記ミシン目４０及び４１に並行に形成された２本の谷折れ線３３Ｃ及び３３Ｄとが形成されていること、
である。
【００８６】
そして、この包装容器２Ｂにおいては、ミシン目１５Ａ、１５Ｂ及び１５Ｃによりコ字状に形成されたミシン目１５を破断して引き起こし部３０を形成すると、その引き起こし部３０は、第１差込み片２８Ａ及び第２差込み片２８Ｂを有することになる。この第１差込み片２８Ａは、差込みスリット形成用ミシン目２５Ａを破断して形成される差込み用切込みに挿入され、またこの第２差込み片２８Ｂは、差込みスリット形成用ミシン目２５Ｂを破断して形成される差込み用切込みに挿入されるように、第1差込み片２８Ａ、第２差込み片２８Ｂ、差込みスリット形成用ミシン目２５Ａ，２５Ｂの寸法及びその形成位置が、設計される。また、前記ミシン目４１と谷折れ線３３Ｃとで挟まれた部位は、第１係止片３４Ｄとなり、前記ミシン目４１と谷折れ線３３Ｄとで挟まれた部位は、第２係止片３４Ｃと成る。
【００８７】
この例においては、正面部がこの発明における上側重合部に対応し、前記底面当接部３２がこの発明における封鎖部に対応し、正面部３から起立されるまでの第１差込み片２８Ａ及び第２差込み片２８Ｂがこの発明における差込み片形成部に対応する。前記差込みスリット形成用ミシン目２５Ａ、２５Ｂが、ミシン目を切断すると、この発明における差込み片用切り目に対応する。
【００８８】
上記のように形成された展開板２Ｂを用いて包装容器を組み立てる組み立て操作、包装容器内に商品を収容する収容操作、包装容器を開封して内部の商品を取り出す開封操作は、第１の態様である包装容器１を、展開板２を用いて包装容器１を組み立てる組み立て操作、包装容器１内に商品を収容する収容操作、包装容器１を開封して内部の商品を取り出す開封操作と、同じである。
【００８９】
開封済みの包装容器内に使用済みの商品を収容し、封緘する操作は、以下のようにして行う。
【００９０】
前記第３の態様におけるのと同様にして包装容器内に商品を収納し終わると、前記開口部を閉鎖するように、第１重ね代部２３及び第２重ね代部２６を曲げ、その第１重ね代部２３及び第２重ね代部２６の上に更に左重合部１９Ｂ及び右重合部１９Ｃを重ねる。次いで、内側底面部２４を曲げてそれらの上に重ねる。
【００９１】
一方、切欠部２９に爪を立てること、又は鋭利な器具等を差し込むことにより、ミシン目１５Ａ、１５Ｂ及び１５Ｃを破断する。谷折れ線１７Ｃ、１７Ｄ、１８Ｂ及び１８Ｃを谷折りして、上側重合部すなわち正面部３の一部である引き起こし部３０を引き立てる。
【００９２】
引き起こし部３０を反転するようにして、谷折れ線１８Ｂと谷折れ線１８Ｃとに挟まれた当接部３１を、第１切込み線２０Ａと谷折れ線１８Ｂとで挟まれた正面部３の部分表面に、当接し、谷折れ線１８Ｃを直角に折り曲げることにより谷折れ線１８Ｃと谷折れ線１７Ｃ、１７Ｄとで挟まれた底面当接部３２を内側底面部２４の表側面に重ね合わせ、さらに谷折れ線１７Ｃ、１７Ｄを底面当接部３２に対して直角に折り曲げると共に、谷折れ線３３Ｃ、３３Ｄを谷折りして第１係止片３４Ｄを第１差込み片２８Ａに重ねる共に第２係止片３４Ｃを第１差込み片２８Ｂに重ねた状態のまま、前記第１差込み片２８Ａを差込みスリット形成用ミシン目２５Ａを破断することにより形成される差込み用切り目に挿入し、また前記第２差込み片２８Ｂを差込みスリット形成用ミシン目２５Ｂを破断することにより形成される差込み用切り目に挿入する。
【００９３】
第１差込み片２８Ａを差込み用切り目２５Ａに挿入し終わると、第１差込み片２８Ａに強制的に重ね合わされていた第１係止片３４Ｄ及び第２係止片３３Ｂが、包装容器内で、第１差込み片２８Ａの重ね合わせ状態から若干の起立状態に戻る。若干の起立状態になっている第１係止片３４Ｄ及び第２係止３３Ｃが、差込み用切り目から第１差込み片２８Ａ及び第２差込み片２８Ｂが引き出されるのを、阻止する。したがって、包装容器１を破壊しない限り、第１差込み片２８Ａは差込み用切り目から脱離することはない。
【００９４】
（第６の形態）
図１２は、この発明の一例である包装容器を組み立てることのできる展開板２Ｃを示す平面図である。
【００９５】
この展開板２Ｃが前記第３の形態における展開板２と相違する主要な点は、
(1)第３の態様における展開板２には背面部４と内側底面部２４との境界線上に差込スリット形成用ミシン目２５が設けられているのに対し、図１２に示されるように、第６の態様における展開板２Ｃには背面部４に２本の差込みスリット形成用ミシン目２５Ｃ，２５Ｄが、背面部４内であって内側底面部２４寄りに、所定間隔を隔てて設けられていること、
(2)第３の態様における展開板２には、図７に示されるように、谷折れ線１８Ａと谷折れ線１６Ｂとの交点からミシン目１５Ｂに向かって切込み線１７Ｂが形成され、また、谷折れ線１８Ａと谷折れ線１６Ａとの交点からミシン目１５Ａに向かって切込み線１７Ａが形成されているのに対し、図１２に示されるように、この第６の態様における展開板２Ｃには、谷折れ線１８Ｃから距離Ｈ３離れた位置に、ミシン目１５Ａとミシン目１５Ｂとを連結するように、谷折れ線１８Ｃに並行に形成された谷折れ線１８Ａと、この谷折れ線１８Ａから距離Ｈ４離れた位置に、谷折れ線１８Ａに対してわずかに外側に湾曲するように形成された切込み線１７Ｅと、ミシン目１５Ｃの中央部から前記切込み線１７Ｅに向かって形成されたミシン目４２と、このミシン目４２を挟んで、このミシン目４２に並行に形成された谷折り線３３Ｅ，３３Ｆとが形成されていること、
である。
【００９６】
そして、この包装容器２Ｃにおいては、ミシン目１５Ａ、１５Ｂ及び１５Ｃによりコ字状に形成されたミシン目１５を破断して引き起こし部３０を形成すると、その引き起こし部３０は、第１差込み片２８Ｃ及び第２差込み片２８Ｄを有することになる。この第１差込み片２８Ｃは、差込みスリット形成用ミシン目２５Ｃを破断して形成される差込み用切込みに挿入され、またこの第２差込み片２８Ｄは、差込みスリット形成用ミシン目２５Ｄを破断して形成される差込み用切込みに挿入されるように、第1差込み片２８Ｃ、第２差込み片２８Ｄ、差込みスリット形成用ミシン目２５Ｃ，２５Ｄの寸法及びその形成位置が、設計される。また、前記ミシン目４２と谷折れ線３３Ｅとで挟まれた部位は、第１係止片３４Ｆとなり、前記ミシン目４２と谷折れ線３３Ｆとで挟まれた部位は、第２係止片３４Ｅと成る。
【００９７】
この例においては、正面部３がこの発明における上側重合部に対応し、前記底面当接部３２がこの発明における封鎖部に対応し、正面部３から起立されるまでの第１差込み片２８Ｃ及び第２差込み片２８Ｄがこの発明における差込み片形成部に対応する。前記差込みスリット形成用ミシン目２５Ｃ、２５Ｄが、ミシン目を切断すると、この発明における差込み片用切り目に対応する。
【００９８】
上記のように形成された展開板２Ｃを用いて包装容器を組み立てる組み立て操作、包装容器内に商品を収容する収容操作、包装容器を開封して内部の商品を取り出す開封操作は、第１の態様である包装容器１を、展開板２を用いて包装容器１を組み立てる組み立て操作、包装容器１内に商品を収容する収容操作、包装容器１を開封して内部の商品を取り出す開封操作と、同じである。
【００９９】
開封済みの包装容器内に使用済みの商品を収容し、封緘する操作は、以下のようにして行う。
【０１００】
前記第３の態様におけるのと同様にして包装容器内に商品を収納し終わると、前記開口部を閉鎖するように、第１重ね代部２３及び第２重ね代部２６を曲げ、その第１重ね代部２３及び第２重ね代部２６の上に更に左重合部１９Ｂ及び右重合部１９Ｃを重ねる。次いで、内側底面部２４を曲げてそれらの上に重ねる。
【０１０１】
一方、切欠部２９に爪を立てること、又は鋭利な器具等を差し込むことにより、ミシン目１５Ａ、１５Ｂ及び１５Ｃを破断する。谷折れ線１８Ｃ、１８Ｂ、１８Ａを谷折りして、上側重合部すなわち正面部３の一部である引き起こし部３０を引き立てる。
【０１０２】
引き起こし部３０を反転するようにして、谷折れ線１８Ｂと谷折れ線１８Ｃに挟まれた当接部３１を、第１切込み線２０Ａと谷折れ線１８Ｂとで挟まれた正面部３の部分表面に、当接する。谷折れ線１８Ｃを直角に折り曲げることにより谷折れ線１８Ｃと谷折れ線１８Ａとで挟まれた底面当接部３２を内側底面部２４の表側面に重ね合わせ、さらに谷折れ線１８Ａを底面当接部３２に対して直角に折り曲げる。谷折れ線３３Ｅ、３３Ｆを谷折りして第１係止片３４Ｆを第１差込み片２８Ｃに重ねる共に第２係止片３４Ｅを第２差込み片２８Ｄに重ね、この状態のまま、前記第１差込み片２８Ｃを差込みスリット形成用ミシン目２５Ｃを破断することにより形成される差込み用切り目に挿入し、また前記第２差込み片２８Ｄを差込みスリット形成用ミシン目２５Ｄを破断することにより形成される差込み用切り目に挿入する。
【０１０３】
第１差込み片２８Ｃを差込み用切り目に挿入し終わると、第１差込み片２８Ｃに強制的に重ね合わされていた第１係止片３４Ｆが、包装容器内で、この包装容器を形成する素材自体の弾力性により、第１差込み片２８Ｃの重ね合わせ状態から若干の起立状態に戻る。第２係止片３４Ｅも同様に第２差込み片２８Ｄの重ね合わせ状態から若干の起立状態に戻る。これによって差込み用切り目から第１差込み片２８Ｃ及び第２差込み片２８Ｄが引き出されるのを、阻止する。したがって、包装容器１を破壊しない限り、第１差込み片２８Ｃ及び第２差込み片２８Ｄは差込み用切り目から脱離することはない。
【０１０４】
（第７の形態）
図１３は、この発明の一例である包装容器を組み立てることのできる展開板２Ｄを示す平面図である。なお、第３の形態である展開板１と同様である部材については図７におけるのと同様の番号を付すことにする。
【０１０５】
この展開板２Ｄと第３の態様における展開板２との相違点の一つは、背面部４の下端縁に外側底面部１９が形成されること、及び正面部３の下端縁に内側底面部２４が形成されること、である。
【０１０６】
この展開板２Ｄは、
背面部４と外側底面部１９との境界線から背面部４の内側に向けて形成された２本の並行な長さＨ５のミシン目４３Ａ，４３Ｂと、
前記背面部４において前記一対の並行なミシン目４３Ａ，４３Ｂの先端部を結ぶように背面部４に形成された長さＨ７の谷折り線４３Ｃと、
この背面部４と外側底面部１９との境界線上であって前記ミシン目４３Ａの基点と前記ミシン目４３Ｂの基点との間に形成された長さＨ６の差込み用切り目４３Ｄと、
前記ミシン目４３Ａが外側底面部１９Ａに更に延在形成され、次いで、前記境界線からＨ５の距離のところで前記境界線に並行に形成され、さらに前記ミシン目４３Ｂへと連続するミシン目４３Ｅと
を有する中型差込み片形成部４７を有する。この中型差込み形成部４７は、ミシン目４３Ｅと山折りになる境界線とで挟まれた中型差込み片４７Ａと、谷折れ線４３Ｃと山折りになる境界線とで挟まれた中型当接片４７Ｂとを有することになる。
【０１０７】
この展開板２Ｄは、背面部４と外側底面部１９との境界線上であって、前記ミシン目４３Ａから所定の長さで形成されたミシン目４４Ａと、前記ミシン目４３Ｂから所定の長さで形成されたミシン目４４Ｂとを有する。このミシン目４３Ａの、左側面部５寄りの端部から、前記ミシン目４３Ｂの右側面部６よりの端部までの距離Ｈ７は後述するような寸法に設計される。
【０１０８】
この展開板２Ｄは、その外側底面部１９に、前記ミシン目４４Ａを基点としてその外側底面部１９の端縁部に向かって、背面部４と外側底面部１９との境界線に対して垂直に延在するミシン目４３Ｆと、前記ミシン目４４Ｂを基点としてその外側底面部１９の端縁部に向かって、背面部４と外側底面部１９との境界線に対して垂直に延在するミシン目４３Ｇと、前記ミシン目４３Ｆから前記ミシン目４３Ｅに連結するように形成されたミシン目４３Ｈ、及び前記ミシン目４３Ｇから前記ミシン目４３Ｅに連結するように形成されたミシン目４３Ｉとを有する。前記ミシン目４３Ｆを破断すると、左重合部１９Ａが形成され、前記ミシン目４３Ｅを破断すると、右重合部１９Ｂが形成される。前記ミシン目４３Ｆ、ミシン目４３Ｅ及びミシン目４３Ｇを破断すると、裏面に接着剤層を有する糊付け重合部１９Ａが形成され、内側底面部２４の外側表面に接着したままになる。
【０１０９】
また、ミシン目４４Ａ、ミシン目４３Ｅ、ミシン目４３Ｆ、及びミシン目４３Ｈを破断すると、ミシン目４４Ａ、ミシン目４３Ｅ、ミシン目４３Ｆ、及びミシン目４３Ｈで囲まれた切り取り片が、包装容器から除去される。同様に、ミシン目４４Ｂ、ミシン目４３Ｅ、ミシン目４３Ｇ、及びミシン目４３Ｉを破断すると、ミシン目４４Ｂ、ミシン目４３Ｅ、ミシン目４３Ｇ、及びミシン目４３Ｉで囲まれた切り取り片が、包装容器から除去される。
【０１１０】
この包装容器は、その正面部３に、前記第３の形態である包装容器２の正面部３に形成されたのと同様のミシン目１５Ａ、１５Ｂ及び１５Ｃから成るミシン目１５を有する。前記ミシン目１５Ａとミシン目１５Ｂとの間には、前記第３の形態である包装容器２の正面部３に形成されたのと同様の谷折れ線１８Ｂ及び１８Ｃが形成される。前記ミシン目１５Ａとミシン目１５Ｂとの間には、前記谷折れ線１８Ｃから距離Ｈ３離れた位置に、前記ミシン目１５Ａを基点とし、前記谷折れ線１８Ｃに並行に延在する所定長さの谷折れ線１８Ｅが、また、前記谷折れ線１８Ｃから距離Ｈ３離れた位置に、前記ミシン目１５Ｂを基点とし、前記谷折れ線１８Ｃに並行に延在する所定長さの谷折れ線１８Ｆが、それぞれ形成される。前記谷折れ線１８Ｅの先端から、前記谷折れ線１８Ｃに並行に所定長さの切込み線１７Ｅが、また前記谷折れ線１８Ｆの先端から、前記谷折れ線１８Ｃに並行に所定長さの切込み線１７Ｆが、それぞれ正面部３に形成される。切込み線１７Ｅの先端部を基点として、ミシン目１５Ａに並行に所定長さの切込み線１７Ｇが形成され、前記切込み線１７Ｆの先端部を基点として、ミシン目１５Ｂに並行に所定長さの切込み線１７Ｈが、それぞれ正面部３に形成される。前記切込み線１７Ｅと前記切込み線１７Ｆとの間には、前記谷折れ線１８Ｃに並行に、谷折れ線４５Ａが形成される。前記切込み線１７Ｇの先端と前記切込み線１７Ｈの先端とを結ぶように、前記谷折れ線１８Ｃに平行な山折れ線４５Ｂが、形成される。更にこの正面部３には、前記切込み線１７Ｅの先端から前記切込み線１７Ｅに対して直角に立ち上がり、次いで前記ミシン目１５Ｃに並行になるように向きを変え、更に前記ミシン目１５Ｂに並行になるように下降するように形成された、ミシン目４５Ｃが形成される。
【０１１１】
前記ミシン目１５Ａ，１５Ｂ，１５Ｃを破断すると、破断されたミシン目１５Ａ，１５Ｂ，１５Ｃと谷折り線１８Ｅと谷折れ線１８Ｆとで囲まれた大型差込み片４６Ａと、ミシン目１５Ａとミシン目１５Ｂと谷折れ線１８Ｂと谷折れ線１８Ｅ、１８Ｆとで囲まれた大型当接片４６Ｂとを有する大型差込み片形成部４６が、形成される。
【０１１２】
また、ミシン目４５Ｃを破断すると、破断されたミシン目４５Ｃと谷折れ線４５Ａとで囲まれて成る小型差込み片４５Ｄと、谷折れ線４５Ａと山折れ線４５Ｂとに挟まれた小型当接片４５Ｅとからなる小型差込み片形成部４５が、形成される。
【０１１３】
この包装容器においては、前記小型差込み片形成部４５、中型差込み片形成部４７及び大型差込み片形成部４６を組み合わせることにより、包装容器内から商品を取り出すための開封部を封緘することができる。したがって、封緘を円滑かつ確実にするために、以下のような寸法関係がある。
【０１１４】
図１３において、距離Ｈ２は、谷折れ線１８Ｂから正面部３と内側底面部２４との境界線までの距離Ｈ１と、実質的に同じ寸法である。したがって、封緘に際して、谷折れ線１８Ｂを谷折りすることにより、谷折れ線１８Ｂを、正面部３と内側底面部２４との境界線にほぼ一致させて谷折りすることができる。
【０１１５】
谷折れ線１８Ｃから谷折れ線１８Ｆ及び谷折れ線１８Ｅまでの距離Ｈ３は、外側底面部１９の短手方向長さに実質的に同じである。したがって、封緘に際して、大型当接片４６Ｂを内側底面部２４に重ねあわせることができる。
【０１１６】
ミシン目１５Ａとミシン目１５Ｂとの間隔は、前記距離Ｈ８と実質的に同じである。したがって、ミシン目４４Ａ及びミシン目４４Ｂを破断することにより形成される差込みスリット４８Ａに、大型差込み片４６Ａが、差込み可能になる。
【０１１７】
ミシン目４５Ｃを破断することにより形成されるところの、小型差込み片４５Ｄの幅Ｈ９は、距離Ｈ６と実質的に同じである。したがって、封緘に際して、小型差込み片４５Ｄを、差込み用切り目４３Ｄに、容易に挿入されることができる。
【０１１８】
この包装容器においては、商品を収容したこの包装容器を店頭等に陳列する場合、又は購買者が購入した場合に、前記ミシン線４３Ａ、４３Ｂ、４３Ｅを破断して中型差込み片形成部４７を、谷折れ線４３Ｃにて完全脱離不能な状態にする。そして、ミシン線４３Ｈ、４３Ｉ、４３Ｆ、４３Ｇを破断すると、糊付け重合部１９Ａが完全に脱離することになり、内側底面部２４、左重合部１９Ｂ、及び右重合部１９Ｃがフリー状態になり、内部に収納されている商品を包装容器から取り出すことができる。
【０１１９】
この包装容器は、商品を取り出した後の開封状態から、以下のようにして封緘状態にする。
【０１２０】
図１３に示されるように、ミシン目１５を破断し、谷折り線１８Ｂ、１８Ｃ、１８Ｅ及び１８Ｆを谷折りして中型差込み片４６Ａ及び中型当接片４６Ｂを引き起こす。そうすると、それまで前記中型差込み片４６Ａ、中型当接片４６Ｂ及び谷折れ線１８Ｂと谷折れ線１８Ｃで挟まれた部位により被覆されていた下側重合部における情報開示部が露出する。
【０１２１】
この情報開示部は、たとえば図１〜図５に示されているのと同様に、印刷された情報を有する。この包装容器をたとえば販売者、製造者等に返送することを企図するのであれば、この情報開示部には返送先の郵便番号、住所又は居所、受取人氏名又は名称等が印刷されている。また、この情報開示部には、前記返送必要記載事項のみならず、製造者又は販売者等の宣伝広告事項、この包装容器の組み立て方法等が記載されていも良い。
【０１２２】
図１４に示されるように、内部に使用済み商品を収容した包装容器の開口を塞ぐように、左重合部１９Ｂ、及び右重合部１９Ｃを折り曲げ、次いで第１重ね代部２３及び第２重ね代部２６をそれらに重ね合わせる。内側底面部２４を左重合部１９Ｂ、右重合部１９Ｃ、第１重ね代部２３及び第２重ね代部２６に重ねる。
【０１２３】
図１４に示されるように、大型差込み片４６Ａを差込みスリット４８Ａに差込み、大型当接片４６Ｂをぴったりと内側底面部２４の上に重ねる。中型差込み片４７Ａを、切込み線１７Ｅ、１７Ｆと小型差込み片形成部４５を折り曲げることにより形成される空間とで形成される差込みスリット４８Ｂに差込み、中型当接片４７Ｂを大型差込み片４６Ａの表面に重ね合わせる。小型差込み片４５Ｄを差込み用切り目４３Ｄに差込み、小型当接片４５Ｅを中型差込み片４７Ａのぴったりと重ね合わせる。以上により、開口していた包装容器の封緘状態が実現される。
【０１２４】
この包装容器は、開口していた包装容器の開口部を前記小型差込み片４５Ｄ、中型差込み片４７Ａ及び大型差込み片４６Ａで封緘するので、封緘状態が確固としてものになる。もっとも、更に封緘状態を確保しようとするのであれば、接着テープ等をこの底面に接着するようにしても良い。
【０１２５】
この包装容器は、展開板２Ｄを組み立てることにより容易に形成することができ、組み立てられ、かつ商品を収容した状態下にある包装容器は特に出っ張り部分がなくて単純な形状をしているので、商品を収納した包装容器をすきまなくパッケージすることができることになって大量輸送を効率的に行うことができる。なお、このような効率的な大量輸送が可能であるということは、前記第１の形態〜第６の形態のいずれにおいても共通する技術的効果である。
【０１２６】
また、店頭陳列時等においてはミシン目１５を破断してから情報開示面を開示するので、出荷時よりも多くの情報が、販売時乃至使用時よりも提供されることができる。
【０１２７】
この第７の形態においては、封緘状態を確固としてものにすることができるので、この包装容器を再利して使用済み商品を返送する場合に、輸送途中で封緘部が開口することがない。
【０１２８】
この例においては、正面部３がこの発明における上側重合部に対応し、前記大型当接片４６Ｂがこの発明における封鎖部に対応し、正面部３から起立されるまでの大型差込み片形成部４６この発明における差込み片形成部に対応する。前記ミシン目４４Ａ、４４Ｂが、ミシン目を切断すると、この発明における差込み片用切り目に対応する。
【０１２９】
（第８の形態）
図２０に、この第８の形態に係る包装容器の一例を示す。図２０は、上側重合部を一部剥離した状態にある包装容器を示している。
【０１３０】
図２０に示されるように、この包装容器１２０は、内部に商品を収容することができ、正面部１２１、左側面部１２２（なお、この「左側面部」における「左」は正面部１２１を正面として見たときに左側に位置することからこのように命名したに過ぎない。この包装容器１２０における正面部１２１を正面として使用するか、背面として使用するかは、この包装容器の使用者ないし製造者の任意である。）、右側面部（図示されず。）、背面部（図示されず。）、上面部１２３、底面部（図示されず。）及びハンガー１２４を備えた略直方体の形状をなす。前記正面部１２１は、平面板状の下側重合部１２５と平面板状の上側重合部１２６とを重ね合わせて形成される。前記上側重合部１２６には、この上側重合部１２６の下端縁から左右の端縁に平行に延在する一対のミシン目１２７を、有する。また、この上側重合部１２６は、前記一対のミシン目１２７により挟まれた領域に差込み片形成用切り目１４９を備える。
【０１３１】
この包装容器１２０は、図２１に示される展開板１２９を折り曲げて、所定部位を接着することにより形成される。
【０１３２】
展開板１２９は、図２１に示されるように、略長方形をした上側重合部１２６と、左側面部１２２と、背面部１３０と、右側面部１３１と、下側重合部１３２と、第１ハンガー片１３３と、第２ハンガー片１３４と、第１底面部形成片１３５と、第２底面部形成片１３６と、取出し部を形成する上面部１３７とを有する。
【０１３３】
前記背面部１３０は、その長手方向に平行に形成された一対の山折り線１３０Ａ，１３０Ｂと、その一対の山折り線１３０Ａ，１３０Ｂの端部同士の間に形成される一対の山折り線１３０Ｃ，１３０Ｄとにより区画される略長方形の板状体である。なお、この明細書において「山折り」は、図面に示す形状の部材を山形に折り曲げることを指し、「谷折り」は、図面に示す形状の部材を谷形に折り曲げることを指す。
【０１３４】
前記上面部１３７は、この背面部１３０の一方の短手辺である山折り線１３０Ｄに連続して延在し、前記山折り線１３０Ａから連続して形成される短手辺１３７Ａと、この短手辺１３７Ａに平行かつ前記山折り線１３０Ｂから連続して形成される他方の短手辺１３７Ｂと、前記山折り線１３０Ｂに平行に形成される山折り線１３７Ｃとで区画される略長方形の板状体である。
【０１３５】
前記上面部１３７における山折り線１３７Ｃを介して挿入片１３９が形成される。この挿入片１３９は、前記山折り線１３７Ｃに平行に、かつ前記山折り線１３７Ｃよりも短く設計された長手縁辺１３９Ａと、この山折り線１３７Ｃの端部と前記長手縁辺１３９Ａとを結ぶように湾曲した一対の湾曲辺１３９Ｂ,１３９Ｂとを備えて形成された板状体である。前記湾曲辺１３９Ｂ，１３９Ｂは、後述するように、この挿入片１３９の挿入を容易にする。
【０１３６】
前記山折り線１３７Ｃの途中には、差込み片用切り目１３８が形成される。この差込み片用切り目１３８の切込み長さについては、後述する。
【０１３７】
前記背面部１３０における山折り線１３０Ｃを介して、前記背面部１３０に隣接するように第１底面部形成片１３５が形成される。
【０１３８】
この背面部１３０における山折り線１３０Ａを介して、この背面部１３０に隣接するように左側面部１２２が形成される。
【０１３９】
この左側面部１２２は、前記山折り線１３０Ａと、この山折り線１３０Ａに平行に延在する山折り線１２６Ｄと、前記山折り線１３０Ａの一端と前記山折り線１２６Ｄの一端とを結ぶ短手山折り線１２２Ａ，１２２Ｂとで長方形に区画形成されてなる。
【０１４０】
この左側面部１２２の一端には、山折り線１２２Ａを介して上面側第１重ね代１４０Ａが形成され、前記左側面部１２２の他端には、山折り線１２２Ｂを介して底面側第１重ね代１４０Ｂが形成される。
【０１４１】
前記右側面部１３１は、前記背面部１３０に隣接し、かつ前記山折り線１３０Ｂを介して延在して形成され、この山折り線１３０Ｂと、この山折り線１３０Ｂに平行かつ同じ長さに形成された山折り線１３１Ａと、この山折り線１３０Ｂの端部と前記山折り線１３１Ａの端部とを結んで形成された一対の山折り線１３１Ｂ，１３１Ｃとで区画形成される。
【０１４２】
前記右側面部１３１の一端部には、山折り線１３１Ｂを介して上面側第２重ね代１４１Ａが形成され、前記右側面部１３１の他端部には、山折り線１３１Ｃを介して底面側第２重ね代１４１Ｂが形成される。
【０１４３】
前記下側重合部１３２は、前記山折り線１３１Ａを介して前記右側面部１３１に隣接、かつ延在して形成される。
【０１４４】
この下側重合部１３２には、第１ハンガー片１３３が、下側重合部１３２の長手方向において、山折り線及び谷折り線のいずれも介在せずに、延在形成される。この第１ハンガー片１３３には隣接して第２ハンガー片１３４が形成される。第１ハンガー片１３３と第２ハンガー片１３４とは山折り線１３２Ａを中にして隣接する。そしてこの山折り線１３２Ａを山折りにして第１ハンガー片１３３と第２ハンガー片１３４とを重ね合わせるとハンガー１２４が形成される。なお、第１ハンガー片１３３の裏面及び第２ハンガー片１３４の裏面にいずれか又は両方に接着剤を塗布しておくと、ハンガー１２４を一体にかつ強固に形成することができる。図２１において、１４２Ａで示されるのは、この包装容器１２０をピン等の吊り下げ部材に吊り下げるための挿通孔であり、１４２Ｂで示されるのは、この包装容器１２０をピン等の吊り下げ部材に吊り下げるための挿通孔である。この挿通孔１４２Ａ及び１４２Ｂの開設位置は、第１ハンガー片１３３と第２ハンガー片１３４とを重ね合わせたときに一致して吊り下げ用挿通孔１４３（図２０参照）が形成されるように、決定される。なお、この吊り下げ用挿通孔１４３は、係留開口部の一例である。
【０１４５】
この下側重合部１３２における下辺である山折り線１３２Ｂを介して、下側重合部１３２に隣接して第２底面部形成片１３６が形成される。この下側重合部１３２における山折り線１３１Ａに対向して形成される長手辺１３２Ｃには、糊代片１４５が形成される。
【０１４６】
前記上側重合部１２６は、その長手方向に平行に形成された端辺である長手辺１２６Ａとその長手辺１２６Ａに直交する一対の短手辺１２６Ｂ，１２６Ｃと前記長手辺１２６Ａに平行であり、かつ前記一対の短手辺１２６Ｂ，１２６Ｃに直交するように延在する山折り線１２６Ｄとで区画され、前記長手辺１２６Ａ及び山折り線１２６Ｄに平行に、かつ前記短手辺１２６Ｃから延在する一対の平行なミシン目１２７,１２７と、このミシン目１２７，１２７の短手辺１２６Ｂ近傍で終点となるミシン目１２７の終点と他のミシン目１２７の終点とを結合するように形成された谷折れ線１４７と、前記谷折れ線１４７に平行に形成され、かつ前記一対のミシン目１２７，１２７の途中でこれらミシン目１２７とミシン目１２７とを結合する谷折れ線１４８と、前記谷折れ線１４８と短手辺１２６Ｃとの間にある領域に形成された差込み片形成用切り目１４９とを有して成る。
【０１４７】
この展開板１２９を組み立てて包装容器１２０を形成すると、この上側重合部１２６の裏面と前記下側重合部１３２の上面とが重ねあわされる。したがって、長手辺１２６Ａ、短手辺１２６Ｂ、山折り線１２６Ｄ、長手辺１２６Ａ側に位置するミシン目１２７、山折り線１２６Ｄ側に位置するミシン目１２７、及び谷折れ線１４７により引用されるコ字状の領域に相当する上側重合部１２６の裏面及び下側重合部１３２の表面のいずれか又は両方に接着剤が塗布され、上側重合部１２６と下側重合部１３２とを重ね合わせて一体化すると正面部１２１が形成される。
【０１４８】
前記谷折れ線１４７と前記谷折れ線１４８との間隔Ｈ１は、短手辺１２６Ｂから谷折れ線１４７までの長さＨ２と山折れ線１３０Ｄから山折れ線１３２Ａの延長線までの長さＨ３との和に実質的に同じになるように設計される。
【０１４９】
前記差込辺形成用切り目１４９は、図２１において下側に凸と成るように湾曲した曲線状切り目１４９Ａとこの曲線状切り目１４９Ａの両端において内側に折れて形成される屈曲線状切り目１４９Ｂとを備えて形成される。この差込み辺形成用切り目１４９に囲まれた部分を起こすと、差込み片１５０が形成される。
【０１５０】
図２１に示されるように、一方、前記差込み片用切り目１３８の切り込み長さＨ４は、前記曲線状切り目１４９Ａの両端間の長さＨ５よりも僅かに長めに設計される。
【０１５１】
上記のように形成された展開板１２９は、次のようにして包装容器１２０に組み立てられ、内容物が収納される。
【０１５２】
山折れ線１２６Ｄ、１３０Ａ、１３０Ｂ、１３１Ａを山折りに曲げ、下側重合部１３２の表面に上側重合部１２６の裏面を重ね合わせ、接着剤により下側重合部１３２と上側重合部１２６とを一体に接着して正面部１２１を形成する。これによって両端を開口する筒状体が形成される。山折り線１２２Ｂを山折りして底面側第１重ね代１４０Ｂを筒状体の開口を閉鎖するようにし、また山折り線１３１Ｃを山折りして底面側第２重ね代１４１Ｂを筒状体の開口を閉鎖する。この底面側第１重ね代１４０Ｂ及び底面側第２重ね代１４１Ｂの上に重ねるように、第１底面部形成片１３５と第２底面部形成片１３６とを組み合わせて底面を形成する。かくして一端に開口部を有する有底筒状体が形成される。前記開口部から内容物例えば商品を収容した後に、前記開口部を塞ぐように上面側第１重ね代１４０Ａ及び上面側第２重ね代１４１Ａを折り曲げ、次いでこれら上面側第１重ね代１４０Ａ及び上面側重ね代１４１Ａに上面部１３７を重ね、差込み片用切り目１３８における山折り線１３７Ｃと第２ハンガー片１３４の表側面とで形成される隙間に挿入片１３９を挿入する。これによって、ハンガー１２４を備えた、平盤状の直方体の包装容器１２０が完成する。
【０１５３】
かくして完成した包装容器１２０においては、前記ミシン目１２７を破断すると、谷折れ線１４７において上側重合部１２６から分離不能な取出し部固定片１５１が形成される。
【０１５４】
この取出し部固定片１５１は、図２２に示されるように、取出し部である上面部１３７を開封不能に固定する。すなわち、図２１に示されるように、谷折れ線１４７を谷折りして谷折れ線１４７から谷折れ線１４８までの平面部を第１ハンガー片１３３の表面に密着させ、谷折れ線１４８で谷折りして取り出し部固定片１５１の先端部を、包装容器１２０における山折り線１３７Ｃにより形成される上面部１３７の長手縁辺とこの上面部１３７の長手縁辺が当接する第２ハンガー片１３４との間隙に挿入する一方、差込み片１５０を差込み片用切り目１３８に挿入する。差込み片１５０の挿入の際、差込み片用切り目１３８の長さが、差込み片用切り目１３８の両端間の長さよりも僅かに小さいので、差込み片１５０を差込み片用切り目１３８に挿入する際に抵抗感があるものの若干の力を加えて差込み片１５０を差込み片用切り目１３８に挿入する。一端差込み片１５０が差込み片用切り目１３８に挿入されると、屈曲線状切り目１４９Ｂにより形成される差込み片１５０の角が差込み片１５０の抜き取りに際する抵抗乃至係止部となるので、容易に差込み片用切り目１３８から差込み変１５０が抜け出ることがない。
【０１５５】
このような構造を有する包装容器１２０であるから、この包装容器１２０は、内容物を収容する包装容器として使用することができ、また、取出し部を開放して内容物を取り出した後に、この包装容器を郵送用容器として使用することができる。
【０１５６】
郵送用容器としてこの包装容器を再利用する場合、一対のミシン目１２７，１２７を切除して取り出し部固定片１５１を引き起こすことにより露出する下側重合部１３２の表面は、郵送先の住所、氏名等の情報を記載する情報記載面となる。
【０１５７】
この包装容器１２０は、また、資源のリサイクルに資する。つまり、この包装容器１２０の中に商品例えばリサイクルの必要な材質例えばプラスチック等で形成された商品を収容し、この包装容器１２０から取り出した商品を使用した後にこの包装容器１２０内にその使用済みの商品を収容し、前述した手順で取出し部固定片１５１で取出し部を封緘した後に、この包装容器１２０を商品の販売先又は資源リサイクル部門に郵送すると、包装容器１２０を形成する材料の回収、包装容器１２０の内部に収容した使用済み商品の回収を図ることができる。
【０１５８】
このような回収は、第１の形態〜第７の形態に係る包装容器と同様である。
【０１５９】
なお、この例は、前記上側重合部は、取出し部を封鎖する封鎖部を備えず、包装容器に設けられた差込み片用切り目に挿入可能な差込み片を形成可能な差込み片形成部を有してなる包装容器の一例である。差込み片形成用切り目１４９が、差込み片形成部に対応する。
【０１６０】
（第９の形態）
第９の形態に係る包装容器も第８の形態に係る包装容器１２０及び他の形態に係る包装容器と同様に、資源のリサイクルに活用することのできる運送用、例えば郵送用の包装容器として使用可能である。
【０１６１】
第９の形態に係る包装容器は、図２３に示される展開板２２９を組み立てることにより形成される。
【０１６２】
図２３に示されるように、展開板２２９が、第８の形態における展開板１２９と相違するところは、
（１）第８の形態における展開板１２９においては、山折り線１３７Ｃに差込み片用切り目１３８が形成されているに対し、第９の形態における展開板２２９においては山折り線１３７Ｃに差込み片用切り目が形成されずに、山折り線１３０Ｄに差込み片用切り目１３８Ａが形成され、
（２）第８の形態における展開板１２９においては、第１ハンガー片１３３と下側重合部１３２とは一枚の平板状に形成されていてジッパーが存在しないのに対し、第９の形態における展開板２２９においては、第１ハンガー片１３３Ａにジッパー１５２が形成され、
（３）第８の形態における展開板１２９における取出し部固定片１５１とは異なり、上側重合部１２６に谷折れ線１５３と、この谷折れ線１５３の両端部からミシン目１２７に向かって延在するミシン目１２７Ａ及び差込み片１５０Ａが形成されるように形作られた湾曲線状ミシン目１２７Ｂとが新たに形成されていることである。
【０１６３】
前記谷折れ線１５３の長さは、前記差込み片用切り目１３８Ａの切り込み長さよりも僅かに短く設計される。そして図２４に示されるように、湾曲線状ミシン目１２７Ｂは、ミシン目１２７Ａと鋭角を成すように連結している。したがって、ミシン目１２７、ミシン目１２７Ａ及び湾曲線状ミシン目１２７Ｂを切り離すと、図２４に示すように差込み片１５０Ａが新たに形成される。
【０１６４】
前記展開板２２９を組み立て形成された包装容器にあっては、上面部１３７を開いて包装容器に収容されていた内容物を取り出すことができる。また開封した包装容器内に、前記上面部１３７から使用済み内容物を収容した後に、前記ジッパー１５２を切り裂いてハンガー１２４を包装容器から分離し、前記上面部１３７で開口部を封鎖し、ミシン目１２７、ミシン目１２７Ａ及び湾曲線状ミシン目１２７Ｂを切り離すことにより形成される差込み片１５０Ａを差込み片用切り目１３８Ａ内に挿入する。これによって取出し部である上面部１３７を開封不能に閉鎖することができる。
【０１６５】
なお、図２３及び図２４における番号と図２１における番号とが同じであるものは、同じ構成の部材である。また、この例においては、ミシン目１２７と谷折れ線１５３とこれに平行な谷折れ線とで囲まれる部分が、この発明における封鎖部に対応し、湾曲線状ミシン目１２７Ｂと前記谷折れ線１５３とで囲まれる部分がこの発明における差込み片形成部に対応する。
【０１６６】
（第１０の形態）
第１０の形態に係る包装容器も第８の形態及び第９の形態に係る包装容器と同様に、資源のリサイクルに活用することのできる運送用、例えば郵送用の包装容器として使用可能である。
【０１６７】
第１０の形態に係る包装容器は、図２５に示される展開板２２９を組み立てることにより形成される。
【０１６８】
図２５に示されるように、第１０の形態に係る展開板３２９が、第９の形態における展開板２２９と相違するところは、
（１）第９の形態における展開板２２９の第２ハンガー片１３４の先端部が山折り線１３７Ｃで形成される上面部１３７の長手辺と第２ハンガー片１３４とで形成される間隙に挿入されるに対し、第１０の形態における展開板３２９の第２ハンガー片１３４Ａに３個の差込み舌片１５４、１５５、１５６が形成され、これら差込み舌片１５４〜１５６夫々が山折り線１３７Ｃに新たに設けられた３個の挿入切り目１５４Ａ、１５５Ａ、１５６Ａに挿入されるように形成されることである。
【０１６９】
この第１０の形態に係る包装容器も、第９の形態にかかる包装容器と同様の効果を相する。
【０１７０】
以上において、この発明に係る包装容器の好適な形態の一例について説明したが、この発明は前記形態に係る包装容器に限定されることのないことは、言うまでもない。
【図面の簡単な説明】
【０１７１】
【図１】図１はこの発明の一例である包装容器を示す斜視図である。
【図２】図２はこの発明の他の例である包装容器を示す斜視図である。
【図３】図３はこの発明の他の例である包装容器を示す斜視図である。
【図４】図４はこの発明の他の例である包装容器を示す斜視図である。
【図５】図５はこの発明の他の例である包装容器を示す斜視図である。
【図６】図６はこの発明の一例である包装容器を示す斜視図である。
【図７】図７はこの発明の一例である包装容器を組み立てることのできる展開板を示す平面図である。
【図８】図８はこの発明の一例である包装容器の底面部を開封する手順を示す説明図である。
【図９】図９は図６に示す包装容器において上側重合部の一部である引き起こし部を引き剥がして立てた状態を示す斜視図である。
【図１０】図１０は第４の形態である包装容器に組み立てることのできる展開板を示す平面図である。
【図１１】図１１は第５の形態である包装容器に組み立てることのできる展開板を示す平面図である。
【図１２】図１２は第６の形態である包装容器に組み立てることのできる展開板を示す平面図である。
【図１３】図１３は第７の形態である包装容器に組み立てることのできる展開板を示す平面図である。
【図１４】図１４は第7の形態である包装容器を再利用する場合に開口部を封緘する有様を示す一部切欠斜視図である。
【図１５】図１５は包装容器の他の形態を示す斜視図である。
【図１６】図１６は包装容器の他の形態を示す斜視図である。
【図１７】図１７は包装容器の他の形態を示す斜視図である。
【図１８】図１８は包装容器の他の形態を示す斜視図である。
【図１９】図１９は包装容器の他の形態を示す斜視図である。
【図２０】図２０は第８の形態である包装容器の他の形態を示す斜視図である。
【図２１】図２１は第８の形態である包装容器を組み立てるための展開板を示す平面図である。
【図２２】図２２は第８の形態である包装容器を再利用して取り出し部を封緘する方法を示す斜視図である。
【図２３】図２３は第９の形態である包装容器を組み立てるための展開板を示す平面図である。
【図２４】図２４は第９の形態である包装容器における差込み片を示す説明図である。
【図２５】図２５は第１０の形態である包装容器を組み立てるための展開板を示す平面図である。
【符号の説明】
【０１７２】
１      包装容器
２、２Ａ、２Ｂ、２Ｄ        展開板
３      正面部
４      背面部
５      左側面部
５Ａ    左側面上方部
６      右側面部
６Ａ    右側面部上方部
７      底面部
８      直方体部
９      合掌部
１０    ハンガー
１０Ａ、１０Ｂ      ハンガー片
１１      係留開口部
１２      下側重合部
１３      ミシン目
１４      ミシン目
１５、１５Ａ、１５Ｂ、１５Ｃ      ミシン目
１６Ａ、１６Ｂ      谷折れ線
１７Ａ、１７Ｂ        切込み線
１７Ｃ、１７Ｄ      谷折れ線
１７Ｅ、１７Ｆ、１７Ｇ、１７Ｈ    切込み線
１８Ａ、１８Ｂ、１８Ｃ、１８Ｄ、１８Ｅ、１８Ｆ      谷折れ線
１９      外側底面部
１９Ａ      糊付け重合部
１９Ｂ      左重合部
１９Ｃ      右重合部
２０      ジッパ
２０Ａ      第１切込み線
２０Ｂ      第２切込み線
２０Ｃ      引き起こし線
２０Ｄ、２０Ｅ、２０Ｆ      ミシン目
２１      第１切り取り線
２２      第２切り取り線
２３      第１重ね代部
２４      内側底面部
２５、２５Ａ，２５Ｂ      差込スリット形成用ミシン目
２６      第２重ね代部
２７      二重重合部
２８      差込み片
２８Ａ、２８Ｃ      第１差込み片
２８Ｂ、２８Ｄ      第２差込み片
２９      切欠部
３０      引き起こし部
３１      当接部
３２      底面当接部
３３Ａ      第１係止片
３３Ｂ      第２係止片
３３Ｃ、３３Ｄ、３３Ｅ、３３Ｆ      谷折れ線
３４Ｄ      第１係止片
３４Ｃ      第２係止片
４０      ミシン目
４１      ミシン目
４２      ミシン目
４３Ａ，４３Ｂ      ミシン目
４３Ｃ      谷折り線
４３Ｄ      差込み用切り目
４４Ａ      ミシン目
４４Ａ、４４Ｂ、      ミシン目
４３Ｅ、４３Ｆ、４３Ｇ、４３Ｈ、４３Ｉ、      ミシン目
４５    小型差込み片形成部
４５Ａ    大型差込み片
４５Ｂ    山折れ線
４５Ｃ  ミシン目
４５Ｄ    小型差込み片
４５Ｅ    小型当接片
４６    大型差込み片形成部
４６Ａ    谷折れ線
４６Ｂ    大型当接片
４７      中型差込み片形成部
４７Ａ      中型差込み片
４７Ｂ      中型当接片
４８Ａ    差込みスリット
５０、５０Ａ、５０Ｂ    包装容器
５１      背面部
５２      右側面部
５３      上面部
５４      下側重合部
５５      上側重合部
５６      ミシン目
５７      切欠部
５８      係留開口部
５９      ハンガー部
６０      露出面
６１      正面部
６２      左側面部
６３      上側重合部
６４      引き起こし片
６５      下側重合部
６６      露出面
６７、６８      山折れ線
７０      包装容器
７０Ａ      手提げ部
７０Ｂ      曲面部
７０Ｃ      垂直面部
７０Ｄ      湾曲側面部
７０Ｅ      垂直側面部
７０Ｆ      側面部
８０      包装容器
８０Ａ      上面部
８０Ｂ      側面部
９０      包装容器
９０Ａ      右側面部
９０Ｂ      左側面部
１００      包装容器
１００Ａ      上部湾曲面部
１００Ｂ      左右側面部
１１０      包装容器
１１０Ａ      正面部
１１０Ｂ      側辺
１２０      包装容器
１２１      正面部
１２２      左側面部
１２２Ａ、１２２Ｂ      短手山折り線
１２３      上面部
１２４      ハンガー
１２５      下側重合部
１２６      上側重合部
１２６Ａ      長手辺
１２６Ｂ，１２６Ｃ      短手辺
１２６Ｄ      山折り線
１２７      ミシン目
１２９      展開板
１３０      背面部
１３０Ａ、１３０Ｂ、１３０Ｃ、１３０Ｄ      山折れ線
１３１      右側面部
１３１Ａ，１３１Ｂ      山折り線
１３２      下側重合部
１３２Ａ、１３２Ｂ      山折り線
１３３      第１ハンガー片
１３３Ａ      第１ハンガー片
１３４      第２ハンガー片
１３５      第１底面部形成片
１３６      第２底面部形成片
１３７      上面部
１３７Ａ、１３７Ｂ      短手辺
１３７Ｃ      山折り線
１３８      差込み片形成用切り目
１３８Ａ      差込み片形成用切り目
１３９      挿入片
１３９Ａ      長手縁辺
１３９Ｂ      湾曲辺
１４０Ａ      上面側第１重ね代
１４０Ｂ      底面側第１重ね代
１４１Ａ      上面側第２重ね代
１４１Ｂ      底面側第２重ね代
１４２Ａ、１４２Ｂ      挿通孔
１４５      糊代片
１４７      谷折れ線
１４８      谷折れ線
１４９      差込み片形成用切り目
１４９Ａ      曲線状切り目
１４９Ｂ      屈曲線状切り目
１５０      差込み片
１５１      取出し部固定片
１５２      ジッパー
２２９      展開板
３２９      展開板
【図１】
2006062748.tif 000003
【図２】
2006062748.tif 000004
【図３】
2006062748.tif 000005
【図４】
2006062748.tif 000006
【図５】
2006062748.tif 000007
【図６】
2006062748.tif 000008
【図７】
2006062748.tif 000009
【図８】
2006062748.tif 000010
【図９】
2006062748.tif 000011
【図１０】
2006062748.tif 000012
【図１１】
2006062748.tif 000013
【図１２】
2006062748.tif 000014
【図１３】
2006062748.tif 000015
【図１４】
2006062748.tif 000016
【図１５】
2006062748.tif 000017
【図１６】
2006062748.tif 000018
【図１７】
2006062748.tif 000019
【図１８】
2006062748.tif 000020
【図１９】
2006062748.tif 000021
【図２０】
2006062748.tif 000022
【図２１】
2006062748.tif 000023
【図２２】
2006062748.tif 000024
【図２３】
2006062748.tif 000025
【図２４】
2006062748.tif 000026
【図２５】
2006062748.tif 000027
【手続補正書】
【提出日】平成17年2月14日(2005.2.14)
【手続補正１】
【補正対象書類名】図面
【補正対象項目名】図８
【補正方法】変更
【補正の内容】
【図８】
2006062748.tif 000028
【手続補正２】
【補正対象書類名】図面
【補正対象項目名】図２０
【補正方法】変更
【補正の内容】
【図２０】
2006062748.tif 000029
【手続補正３】
【補正対象書類名】図面
【補正対象項目名】図２２
【補正方法】変更
【補正の内容】
【図２２】
2006062748.tif 000030
【手続補正４】
【補正対象書類名】図面
【補正対象項目名】図２４
【補正方法】変更
【補正の内容】
【図２４】
2006062748.tif 000031